(57)【要約】本発明は、抄紙機若しくは板紙抄紙機のドライヤ部用のインピンジメント乾燥ユニットに関し、乾燥集合（Ｒ）、及び、乾燥用シリンダ（３）の列（ＤＳＲ）の上方及び／又は下方に配置されたインピンジメント乾燥ユニット（１０）を含み、紙若しくは板紙（２）は、ワイヤ等のような乾燥繊維（１）により支持されながらインピンジメント乾燥ユニットに通されるように構成されている。本発明は、インピンジメント乾燥ユニット（１０）が、少なくとも一のインピンジメント面（ＩＰ１，ＩＰ２）を含み、その側断面は、直線、曲率可変の曲線若しくは折れ線若しくはこれらの選択可能な組み合わせからなり、前記インピンジメント面、前記インピンジメント面の接線、前記インピンジメント面の開始点と終了点を結ぶ直線、若しくは、該直線の延長線が、インピンジメント側で、マシーンレベルに平行な水平面に対してある角度を形成し、該角度は、１２０°以下であり、効果的には、１２０°〜６０°の範囲内であり、最も効果的には約９０°である。
2004513254.tif 000002
【特許請求の範囲】
【請求項１】
乾燥部が、少なくとも１つの乾燥集合（Ｒ）と、乾燥用シリンダ（３）の列（ＤＳＲ）の上方及び／又は下方に延在する少なくとも１つのインピンジメント乾燥ユニット（１０）を含み、前記インピンジメント乾燥ユニット（１０）では、効果的には紙若しくは板紙である繊維ウェブ（２）、即ちウェブが、ワイヤ若しくはその同等品のような乾燥繊維（１）により支持されつつ、インピンジメント乾燥ユニットを通過するよう構成されており、前記インピンジメント乾燥ユニット（１０）が、直線、曲率可変の曲線若しくは折れ線若しくはこれらの選択可能な組み合わせからなる側面形状を有する少なくとも１つのインピンジメント面（ＩＰ１，ＩＰ２）を含む、効果的には抄紙機や板紙抄紙機である繊維ウェブ作成機の乾燥部用のインピンジメント乾燥ユニットであって、
前記インピンジメント面（ＩＰ１，ＩＰ２）、前記インピンジメント面の接線、前記インピンジメント面の開始点と終了点を結ぶ直線、該直線の延長線、若しくは、前記インピンジメント乾燥ユニットの中心線若しくは対称線（Ｋ）が、インピンジメント側で、マシーンレベルに平行な水平面に対してある角度を形成し、該角度は、１２０°〜６０°の範囲内であり、効果的には９０°であり、前記インピンジメント面若しくはインピンジメント乾燥ユニットは、略直立位置であり、
少なくとも１つのインピンジメント乾燥装置（１０１，１０２，１０３）が、前記インピンジメント乾燥ユニット内を走行する乾燥繊維（１）の外面により画成される少なくとも１つのインピンジメント面に作用し、インピンジメントは、直接的にウェブ（２）に作用し、
前記インピンジメント乾燥ユニットは、乾燥集合（Ｒ）の一部を形成するように配置されるか、若しくは、２つの乾燥集合間若しくは乾燥集合の後段に配置されることを特徴とする、インピンジメント乾燥ユニット。
【請求項２】
前記インピンジメント乾燥ユニット（１０）は、ウェブがそのインピンジメント側とは逆側でワイヤ（１）に支持されながら乾燥集合（Ｒ）から離れる方向に走行する第１の走行部（２１，２１１，２１２）を含む第１のインピンジメント面（ＩＰ１）と、ウェブがそのインピンジメント側とは逆側でワイヤ（１）に支持されながら乾燥集合（Ｒ）に近づく方向に走行する第２の走行部（２２，２２１，２２２）を含む第２のインピンジメント面（ＩＰ２）とを含む、請求項１記載のインピンジメント乾燥ユニット。
【請求項３】
第１及び第２のインピンジメント面（ＩＰ１，ＩＰ２）の側面形状が、実質的に、直線形状、曲線形状、相互にある角度をなす連続的な部分により形成される破線形状、若しくは、これらの形状の選択可能な組み合わせからなる、請求項１又は２記載のインピンジメント乾燥ユニット。
【請求項４】
第１及び第２のインピンジメント面（ＩＰ１，ＩＰ２）に沿う線、その接線、若しくは、第１及び第２のインピンジメント面（ＩＰ１，ＩＰ２）の双方の開始点及び終了点を通る線が、マシーンレベルに平行な水平面に対してある角度をなし、該角度が、１２０°〜６０°の範囲内であり、最も効果的には９０°である、請求項１乃至３の何れか１項に記載のインピンジメント乾燥ユニット。
【請求項５】
第１及び第２のインピンジメント面（ＩＰ１，ＩＰ２）は、互いに略平行である、請求項１乃至３の何れか１項に記載のインピンジメント乾燥ユニット。
【請求項６】
前記インピンジメント乾燥ユニット（１０）の中心線（Ｋ）が、前記インピンジメント乾燥ユニットのインピンジメント面（ＩＰ１，ＩＰ２）の対称線と一致する、請求項１乃至５の何れか１項に記載のインピンジメント乾燥ユニット。
【請求項７】
前記インピンジメント乾燥装置（１０１，１０２，１０３）が、ワイヤループ（１１）の外側にあり、支持ロール（１３）、ロール及び／又は真空装置及び／又は吸引ロール、及び／又は、吸引作用によりワイヤ（１）にウェブ（２）を付着させる吸引ボックス（１６）を含むワイヤ（１）及びウェブ（２）の走行を支持及び案内する手段が、ワイヤ（１）の前記インピンジメント乾燥ユニットに対向する側でワイヤループ（１１）の内側にある、請求項１乃至６の何れか１項に記載のインピンジメント乾燥ユニット。
【請求項８】
前記インピンジメント乾燥装置（１０１，１０２，１０３）及び乾燥集合（Ｒ）が、共通のワイヤループ（１１）を有し、前記インピンジメント乾燥装置が、少なくとも１つの乾燥部の乾燥集合の一部を構成する、乾燥部の乾燥集合（Ｒ）用の請求項１乃至７の何れか１項に記載のインピンジメント乾燥ユニット。
【請求項９】
前記インピンジメント乾燥装置（１０１，１０２，１０３）が、ワイヤループ（１１）を画成するワイヤ（１）を自身で備え、前記インピンジメント乾燥ユニットが、２つの乾燥集合（Ｒ）の間、乾燥集合の前段、若しくは、乾燥集合の後段に配置される独立のインピンジメント乾燥ユニットである、乾燥部の乾燥集合（Ｒ）用の請求項１乃至７の何れか１項に記載のインピンジメント乾燥ユニット。
【請求項１０】
シングルワイヤドロー若しくはツインワイヤドローを適用する少なくとも１つの乾燥集合（Ｒ）を含み、効果的には紙若しくは板紙である繊維ウェブ（２）、即ちウェブを乾燥させる乾燥用シリンダ（３）の列（ＤＳＲ）の上方及び／又は下方に延在する少なくとも１つのインピンジメント乾燥ユニット（１０）を含み、ワイヤ若しくはその同等品のような乾燥繊維（１）が、直線、曲率可変の曲線若しくは折れ線若しくはこれらの選択可能な組み合わせからなる側面形状を有する少なくとも１つのインピンジメント面（ＩＰ１，ＩＰ２）を含むインピンジメント乾燥ユニット（１０）を通過するように構成されている、効果的には抄紙機や板紙抄紙機である繊維ウェブ作成機の乾燥部であって、
前記インピンジメント面（ＩＰ１，ＩＰ２）、前記インピンジメント面の接線、前記インピンジメント面の開始点と終了点を結ぶ直線、該直線の延長線、若しくは、前記インピンジメント乾燥ユニットの中心線若しくは対称線（Ｋ）が、インピンジメント側で、マシーンレベルに平行な水平面に対してある角度を形成し、該角度は、１２０°〜６０°の範囲内であり、効果的には９０°であり、前記インピンジメント面若しくはインピンジメント乾燥ユニットは、略直立位置であり、
少なくとも１つのインピンジメント乾燥装置（１０１，１０２，１０３）が、前記インピンジメント乾燥ユニット内を走行する乾燥繊維（１）の外面により画成される少なくとも１つのインピンジメント面に作用し、インピンジメントは、直接的にウェブ（２）に作用し、
前記インピンジメント乾燥ユニットは、乾燥集合（Ｒ）の一部を形成するように配置されるか、２つの乾燥集合間若しくは乾燥集合の後段に配置されることを特徴とする、乾燥部。
【請求項１１】
前記インピンジメント乾燥ユニット（１０）は、第１のインピンジメント面（ＩＰ１）と、第２のインピンジメント面（ＩＰ２）とを含み、第１のインピンジメント面は、ウェブがそのインピンジメント側とは逆側でワイヤ（１）に支持されながら乾燥集合（Ｒ）から離れる方向に走行する第１の走行部（２１，２１１，２１２）を含み、第２のインピンジメント面は、ウェブがそのインピンジメント側とは逆側でワイヤ（１）に支持されながら乾燥集合（Ｒ）に近づく方向に走行する第２の走行部（２２，２２１，２２２）を含む、請求項１０記載の乾燥部。
【請求項１２】
第１及び第２のインピンジメント面（ＩＰ１，ＩＰ２）の側面形状が、実質的に、直線形状、曲線形状、相互にある角度をなす連続的な部分により形成される破線形状、若しくは、これらの形状の選択可能な組み合わせからなる、請求項１０又は１１記載の乾燥部。
【請求項１３】
第１及び第２のインピンジメント面（ＩＰ１，ＩＰ２）に沿う線、その接線、若しくは、第１及び第２のインピンジメント面（ＩＰ１，ＩＰ２）の双方の開始点及び終了点を通る線が、マシーンレベルに平行な水平面に対して少なくとも部分的にある角度をなし、該角度が、１２０°〜６０°の範囲内であり、最も効果的には９０°である、請求項１０乃至１２の何れか１項に記載の乾燥部。
【請求項１４】
第１及び第２のインピンジメント面（ＩＰ１，ＩＰ２）は、互いに略平行である、請求項１０乃至１３の何れか１項に記載の乾燥部。
【請求項１５】
前記インピンジメント乾燥ユニット（１０）の中心線（Ｋ）が、前記インピンジメント乾燥ユニットのインピンジメント面（ＩＰ１，ＩＰ２）の対称線と一致する、請求項１０乃至１４の何れか１項に記載の乾燥部。
【請求項１６】
前記インピンジメント乾燥装置（１０１，１０２，１０３）が、ワイヤループ（１１）の外側にあり、支持ロール（１３）、ロール及び／又は真空装置及び／又は吸引ロール、及び／又は、吸引作用によりワイヤ（１）にウェブ（２）を付着させる吸引ボックス（１６）を含むワイヤ（１）及びウェブ（２）の走行を支持及び案内する手段が、ワイヤ（１）の前記インピンジメント乾燥ユニットに対向する側でワイヤループ（１１）の内側にある、請求項１０乃至１５の何れか１項に記載の乾燥部。
【請求項１７】
前記インピンジメント乾燥装置（１０１，１０２，１０３）及び乾燥集合（Ｒ）が、ワイヤループ（１１）を形成する共通のワイヤ（１）を有し、前記インピンジメント乾燥装置が、少なくとも１つの乾燥部の乾燥集合の一部を構成する、請求項１０乃至１５の何れか１項に記載の乾燥部。
【請求項１８】
前記インピンジメント乾燥ユニット（１０）が、ワイヤループ（１１）を画成するワイヤ（１）を自身で備え、前記インピンジメント乾燥ユニットが、２つの乾燥集合（Ｒ）の間、乾燥集合の前段、若しくは、乾燥集合の後段に配置される独立のインピンジメント乾燥ユニットである、請求項１０乃至１５の何れか１項に記載の乾燥部。
【請求項１９】
複数のインピンジメント乾燥ユニット（１０）が、乾燥集合（Ｒ）内若しくは乾燥集合（Ｒ）に関連して、存在する、請求項１０乃至１８の何れか１項に記載の乾燥部。
【請求項２０】
インピンジメント乾燥ユニット（１０）が、乾燥用シリンダ（３）の列（ＤＳＲ）の上下に交互に配設され、
インピンジメント乾燥ユニット（１０）の幾つかが、乾燥用シリンダ（３）の下方に配設され、他のインピンジメント乾燥ユニットが、乾燥用シリンダ（３）の上方に配設され、ウェブ（２）は両側から乾燥可能である、請求項１０乃至１９の何れか１項に記載の乾燥部。
【請求項２１】
少なくとも１つのインピンジメント乾燥ユニット（１０）が、少なくとも１つの乾燥集合（Ｒ）内に若しくは該少なくとも１つの乾燥集合（Ｒ）に関連して、存在する、請求項１０乃至２０の何れか１項に記載の乾燥部。
【発明の詳細な説明】
【０００１】
本発明は、効果的には抄紙機や板紙抄紙機である繊維ウェブ作成機の乾燥部用のインピンジメント乾燥ユニットに関し、効果的には紙や板紙である繊維ウェブ、即ちウェブが、ワイヤ等の乾燥繊維により支持されながらインピンジメント乾燥ユニットを通って案内されるように構成されている少なくとも１つの乾燥集合及びインピンジメント乾燥ユニットを含む。
【０００２】
また、本発明は、効果的には抄紙機や板紙抄紙機である繊維ウェブ作成機の乾燥部に関し、この乾燥部は、シングルワイヤドローやツインワイヤドローを適用する少なくとも１つの乾燥集合と、効果的には紙や板紙である繊維ウェブ、即ちウェブを乾燥させるインピンジメント乾燥ユニットと、ワイヤ等の乾燥繊維とを含み、ウェブは、乾燥繊維に支持された状態で、インピンジメント乾燥ユニットを通って案内されるように構成されている。
【０００３】
先行技術で知られているように、ペーパーマシーン（抄紙機）の多シリンダ型ドライヤは、ツインワイヤドロー及び／又はシングルワイヤドローを採用する。ツインワイヤドローでは、乾燥用シリンダの集合は、加熱されたシリンダ表面に対して上下から挟む方向にウェブをプレスする２つのワイヤを含む。通常的には水平な列である乾燥用シリンダの列間では、ウェブは、揺れやすい自由で且つ支持されていないドローを有し、これにより、ウェブの破れが引き起こされる。これは、特にウェブは、依然として比較的湿潤な状態でありそれ故に低強度であるためである。それ故に、シングルワイヤドローの利用が増えており、シングルワイヤドローでは、乾燥用シリンダの各集合は、単一のワイヤのみを含み、ウェブは、その上に支持されて、集合全体を通って走行し、ワイヤがウェブを乾燥用シリンダの加熱されたシリンダ表面にプレスするようにし、また、ウェブが、乾燥用シリンダ間に位置する回転シリンダやロールの外側の曲線の側に留まるようにする。従って、シングルワイヤドローでは、乾燥用シリンダは、ワイヤループの外側に配設され、回転シリンダやロールは、ループの内側に配設される。これらの先行技術における１つの問題は、ワイヤループの外側に位置し汚れが付着するシリンダ及びロールにより提起され、従って、それらに、表面を清浄にするためのドクターを設けることが必要であった。
【０００４】
ペーパーマシーンの速度の上昇に伴い、ペーパーマシーンの走行性は、当然に、先行技術の多シリンダ型ドライヤでは高速時に非常に長くなるだろう乾燥部により影響される。今日の多シリンダ型ドライヤが４０ｍ／ｓのウェブ速度で使用されると想定した場合、それは、約７０個の乾燥用シリンダを含み、その長さは、マシーン方向で約１８０ｍとなるだろう。かかる場合、ドライヤは、約１２−１５の別のワイヤ集合を含みことになり、集合の隙間に対応する数のドローを含むことになるだろう。速度範囲３０−４０ｍ／ｓにおいて、通常の先行技術の多シリンダ型ドライヤの走行性はオープンドローに起因して良好でなく、ペーパーマシーンの効率性を低減するウェブの破損を更に引き起こす場合があることが予測される。速度範囲３０−４０ｍ／ｓ及びより高速域においては、シングルワイヤドローを適用する先行技術の多シリンダ型ドライヤは、過度に長いペーパーマシーンホールの設備コストが高くなることから、非経済的なものとなるだろう。
【０００５】
図１に示すような乾燥部は、公開フィンランド特許出願９８１３３１号より知られており、この乾燥部では、ウェブがワイヤの支持上を走行する一のシリンダ乾燥集合は、基盤内に載置された、即ち、ペーパーマシーンの水平面に平行なマシーン高さ若しくはマシーンラインの下方に載置されたインピンジメント乾燥ユニット１０を含み、インピンジメント乾燥ユニットは、ワイヤ１及びウェブ２がそのまわりを走行する大径のシリンダ１２を含み、インピンジメント乾燥ユニットでは、エアのインピンジメント（吹き付け）が、ウェブ２の表面に直接作用する。乾燥部の全体長さは、この種のインピンジメント乾燥ユニットによりある程度短くすることができる。これは、必要な乾燥能力を、マシーン方向（ＭＤ）においてより短いスペースで確保できるからである。
【０００６】
図１は、典型的な直径１．８ｍの３つの乾燥用シリンダにより必要とされるスペースにおいて、マシーン高さより下方に部分的な適用範囲及びインピンジメントを備えた２つの乾燥用シリンダが存在し、インピンジメントシリンダの直径は、３．６ｍであり、エアのインピンジメントの適用範囲は約２００°である。これに関して、シングルワイヤドローを適用する乾燥の乾燥能力と比較すると、下方に配置されたインピンジメント乾燥により、より高い乾燥能力が、同一の水平スペース、即ち、３つの乾燥用シリンダが占めるスペースで達成される。
【０００７】
一般的に、乾燥能力の数値関係は、乾燥用シリンダの数によって表わされ、以下の数式により推定可能である。
【０００８】
【数１】
2004513254.tif 000003
これを上述の例に当てはめると、次式となる。
【０００９】
【数２】
2004513254.tif 000004
ここで、１．５ｃｙｌは、通常よりも小さい適用範囲の約２つの乾燥用シリンダの乾燥能力であり、１．７は、平均して、１．７ｍのインピンジメント長さが、通常の適用範囲を備える１．８ｍの直径の乾燥用シリンダの能力に対応するという事実の結果から導かれる。従って、この数値例の場合、約２つの乾燥用シリンダの乾燥能力に対応する付加的な乾燥能力を達成することが可能である。強調すべきことは、下方に位置する大径のシリンダ１２は、マシーンラインの方向に大きなスペースをとり、回転質量が、シリンダの大径により増加することである。
【００１０】
ペーパーマシーンの高速時でより強調される他の問題であって、依然として解決手段が見出されていない問題は、横断方向及びマシーン方向の双方のペーパーウェブの断面形状の均一化の要求に関連した品質問題を含む。生成されるウェブの均一性は、また、全体のペーパーマシーンの走行性に影響を与え、また、最終の紙の重要な品質上の要因となる。特に広幅マシーンでの、高速の実現は、解決すべきより困難な問題を提起し、その中の最も重要なものは、高速時での走行性及びマシーンの充分な脱水能力である。
【００１１】
多シリンダ型ドライヤからなる従来の乾燥部を使用したときの、ペーパーマシーンの乾燥部での１つの問題は、それらにより引き起こされる騒音である。更に、シリンダ乾燥が使用されるとき、蒸気を使用する必要があり、これに関連して、乾燥用シリンダは、圧力容器の規格に準拠するよう設計されなければならず、更に、乾燥部周囲に配置されるフードは、熱的に絶縁されなければならない。
【００１２】
本発明に関連する先行技術に関して、フィンランド特許第１０２６２３号を参照するに、ウェブがインピンジメント乾燥等に基づく少なくとも１つの乾燥集合で乾燥されているペーパーマシーン等における方法が開示されている。この先行技術の構成では、ウェブ等は、通常のシングルワイヤドローを適用する少なくとも１つの乾燥集合で乾燥され、ウェブは、プレス段階から乾燥段階へとクローズドドローとして至り、ウェブは、少なくとも１つの支持表面に常に支持されている。上述の特許は、乾燥部のインピンジメント乾燥ユニットを配置するための異なる種の適用を開示する。雑誌記事Ｍａｒｋｕｓ Ｏｅｓｃｈｌｅ：“Ｄｒｙｉｎｇ ｃｏｎｃｅｐｔｓ ｆｏｒ ｈｉｇｈ ｄｅｍａｎｄｓ”， Ｐａｐｅｒｉ ｊａ Ｐｕｕ， ｖｏｌ．８１， Ｎｏ． ８／１９９９参照。
【００１３】
本発明の目的は、先行技術から知られる上述の欠点や問題が無くされるか若しくは少なくとも最小化され、これにより、先行技術に対して改善された乾燥能力が達成される、インピンジメント乾燥ユニット及び乾燥部を提供することにある。
【００１４】
更に、本発明の目的は、先行技術の乾燥部と比較して従前よりも短い乾燥部を作成することを可能とすることである。
【００１５】
本発明の更なる目的は、良好な走行性及び実質的にウェブのクローズドドローを実現できるインピンジメント乾燥ユニット及び乾燥集合を提供することである。
【００１６】
本発明の更なる目的は、紙の良好な品質及び十分に妨害のない走行性が達成される乾燥コンセプトを実現することを可能とすることである。
【００１７】
本発明の更なる目的は、ウェブを信頼性のある態様で乾燥部の全体長さにわたって支持でき、これにより、ウェブの横断方向の縮みを略防止でき、これにより、不均一な横断方向の縮み形状から生ずるウェブの横断方向の不均質性を防止できる、乾燥配列及びそれを適用する乾燥部を提供することである。
【００１８】
本発明の更なる目的は、乾燥ユニット若しくは集合の下方及び／又は上方のスペースが利用され、これにより、新たな種のコンパクトな乾燥集合及び乾燥部を形成することができる、インピンジメント乾燥ユニット及び／又は乾燥集合を提供することである。
【００１９】
本発明の更なる目的は、従って、上述の問題点に対して新たな解決手段を提供することであり、先行技術の欠点と同様、後に生ずる欠点を主に防止する。
【００２０】
上述の目的と同様後に生ずる目的を達成する観点から、本発明によるインピンジメント乾燥ユニットは、請求項１乃至１１に定義される特徴により特徴付けられる。
【００２１】
本発明による乾燥部は、請求項１２乃至２１に定義される特徴により特徴付けられる。
【００２２】
本発明によるインピンジメントユニットは、以下の新規で且つ進歩性のある基礎概念に基づくものであり、即ち、乾燥集合の最も上若しくは下側の乾燥用シリンダ（複数でもよい）を通るマシーンレベルに平行な水平面の上方若しくは下方に少なくとも部分的に延在するインピンジメント乾燥ユニットは、少なくとも１つのインピンジメント面を含み、そのインピンジメント面の側面形状は、直線、曲率が可変の曲線、折れ線、若しくはそれらの選択可能な組み合わせであり、インピンジメント面、インピンジメント面の接線、インピンジメント面の開始点と終了点を結ぶ直線、当該直線の延長線は、マシーンレベルに平行な水平面に対してインピンジメント側で１２０°以下の角度を形成する。
【００２３】
本発明による乾燥部は、以下の新規で且つ進歩性のある基礎概念に基づくものであり、即ち、即ち、乾燥集合の最も上若しくは下側の乾燥用シリンダ（複数でもよい）を通るマシーンレベルに平行な水平面の上方若しくは下方に少なくとも部分的に延在するインピンジメント乾燥ユニットは、少なくとも１つのインピンジメント面を含み、そのインピンジメント面の側面形状は、直線、曲率が可変の曲線、折れ線、若しくはそれらの選択可能な組み合わせであり、インピンジメント面、インピンジメント面の接線、インピンジメント面の開始点と終了点を結ぶ直線、当該直線の延長線は、マシーンレベルに平行な水平面に対してインピンジメント側で１２０°以下の角度を形成する。
【００２４】
効果的には、本発明によると、この角度は、インピンジメント側で１２０°〜６０°の範囲内に維持されることが適切であり、重力及びウェブ／ワイヤの経路の妨害により生ずる作用を最小化し、インピンジメント乾燥ユニットが、少なくとも部分的に直立位置となるインピンジメント乾燥ユニットとなるようにする。特に効果的には、当該角度は、９０°であり、これに関して、本発明によるインピンジメント乾燥ユニットは、マシーン方向（ＭＤ）において狭く略直立位置に配置されるユニットして、狭いスペース内に収容可能である。
【００２５】
従って、本発明の特別な実施例によるインピンジメント乾燥ユニットは、主に、乾燥用シリンダの列の下方若しくは上方に少なくとも延在する少なくとも１つのインピンジメント乾燥ユニットのインピンジメント乾燥装置が、インピンジメント乾燥ユニット内を走行する乾燥繊維の外面により画成される少なくとも１つのインピンジメント面に作用し、これに関して、インピンジメントは、ウェブ上に直接的に作用し、インピンジメント面は、乾燥用シリンダの列の下方及び／又は上方に少なくとも部分的に略直立位置で延在するように配設され、少なくとも１つのインピンジメント面に沿った直線、その接線、若しくは、インピンジメント乾燥ユニットの少なくとも１つのインピンジメント面の開始点と終了点とを結ぶ直線、又は、インピンジメント乾燥ユニットのインピンジメント面の走行部の一部若しくは走行部若しくは少なくとも一部に沿った直線、その接線、若しくは、開始点と終了点とを結ぶ直線、又は、インピンジメント乾燥ユニットの中心線若しくは対称線、及び、マシーンレベルに平行な水平面は、１２０°〜６０°の範囲内とされるようにすることを特徴とする。
【００２６】
また、本発明による特別な実施例によるインピンジメント部は、主に、乾燥用シリンダの列の下方若しくは上方に少なくとも延在する少なくとも１つのインピンジメント乾燥ユニットのインピンジメント乾燥装置が、インピンジメント乾燥ユニット内を走行する乾燥繊維の外面により画成される少なくとも１つのインピンジメント面に作用し、これに関して、インピンジメントは、ウェブ上に直接的に作用し、インピンジメント面は、乾燥用シリンダの列の下方及び／又は上方に少なくとも部分的に略直立位置で延在するように配設され、少なくとも１つのインピンジメント面に沿った直線、その接線、若しくは、インピンジメント乾燥ユニットの少なくとも１つのインピンジメント面の開始点と終了点とを結ぶ直線、又は、インピンジメント乾燥ユニットのインピンジメント面の走行部の一部若しくは走行部若しくは少なくとも一部に沿った直線、その接線、若しくは、開始点と終了点とを結ぶ直線、又は、インピンジメント乾燥ユニットの中心線若しくは対称線、及び、マシーンレベルに平行な水平面は、１２０°〜６０°の範囲内とされるようにすることを特徴とする。
【００２７】
マシーンレベル若しくはマシーンラインの方向にほとんどスペースを必要としない新規で進歩性のある構造により、乾燥部の長さを短くできる。インピンジメント乾燥は多シンリンダ型の乾燥よりも効率的であるので、特に多シンリンダからなる乾燥部と比較して、利用可能なスペースの乾燥能力を高めることが可能となるか、若しくは、従前よりも実質的に短く乾燥部全体を構築することが可能となる。更なる効果としては、インピンジメント乾燥はペーパーマシーンの開始に関して多シンリンダ型の乾燥よりも迅速であることであり、これは、ウェブがわずかな乾燥用シリンダによって可能とされる以上に迅速に所望の質に走行することができることを意味する。
【００２８】
本発明の効果的な実施例によるインピンジメント乾燥ユニット若しくは乾燥部において、インピンジメント面は、マシーンレベルやマシーンラインに平行な水平面とある角度を形成し、当該角度は、最も効果的には９０°である。
【００２９】
本アプリケーションにおいて、直立位置に配置され乾燥用シリンダ（複数を含む）を通るマシーンレベルに平行な水平面の上方及び／又は下方に少なくとも部分的に延在する進歩性のあるインピンジメント乾燥ユニットによって、すべてのインピンジメント乾燥ユニットが、少なくとも１つのインピンジメント面若しくはかかる表面の一部を含み、その側面形状は、直線、曲率が可変の曲線、折れ線、若しくはそれらの選択可能な組み合わせであり、インピンジメント面の開始点と終了点を結ぶ直線若しくはその一部は、マシーンレベルに平行な水平面に対してインピンジメント側で１２０°以下の角度を形成し、ウェブ及びワイヤのインピンジメント面への付着が、重力によって大きく影響されないようにし、また、当該角度は、重力の悪影響を最小限にするため、１２０°〜６０°の範囲内とされるのが適切である。特に効果的には、当該角度は、約９０°であり、インピンジメント乾燥ユニットのＭＤ方向の寸法が最小化されると共に、重力の悪影響が排除される。
【００３０】
本発明は、また、直立位置に配置され乾燥用シリンダの列の上方及び／又は下方に少なくとも部分的に配設され互いに部分的若しくは全体的に対称に配置された２つのインピンジメント面若しくはそれらの部分を有するインピンジメント乾燥ユニットを内包し、インピンジメント面若しくはそれらの部分の側面形状は、直線、曲率が可変の曲線、折れ線、若しくはそれらの選択可能な組み合わせであり、インピンジメント乾燥ユニットにおいて、インピンジメント面若しくはそれらの部分の対称線は、マシーンレベルに平行な水平面に対してインピンジメント側で１２０°以下の角度を形成し、ウェブ及びワイヤのインピンジメント面への付着が、重力によって大きく影響されないようにされる。効果的には、当該角度は、重力の悪影響を最小限にするため、１２０°〜６０°の範囲内とされるのが適切である。特に効果的には、当該角度は、約９０°であり、インピンジメント乾燥ユニットのＭＤ方向の寸法が最小化されると共に、重力の悪影響が排除される。
【００３１】
更に、本発明は、直立位置に配置され乾燥用シリンダ（複数でもよい）を通りマシーンレベルに平行な水平面の上方及び／又は下方に少なくとも部分的に配設されるインピンジメント乾燥ユニットを内包し、当該インピンジメント乾燥ユニットは、互いに対称的に配置されたインピンジメント面を有し、当該インピンジメント面の側面形状は、直線、曲率が可変の曲線、折れ線、若しくはそれらの選択可能な組み合わせであり、インピンジメント乾燥ユニットにおいて、インピンジメント面若しくはインピンジメント面の開始点と終了点とを結ぶ直線は、マシーンレベルに平行な水平面に対してインピンジメント側で１２０°以下の角度を形成し、ウェブ及びワイヤのインピンジメント面への付着が、重力によって大きく影響されないようにされる。効果的には、当該角度は、重力の悪影響を最小限にするため、１２０°〜６０°の範囲内とされるのが適切である。特に効果的には、当該角度は、約９０°であり、インピンジメント乾燥ユニットのＭＤ方向の寸法が最小化されると共に、重力の悪影響が排除される。
【００３２】
本発明に関連して、強調されるべきことは、直線型の一般形状若しくは曲率可変の曲線型の一般形状を有するインピンジメント面の側面形状に加えて、インピンジメント面は、互いに選択可能な角度をなす連続的な略直線及び／又は湾曲部により形成されてよく、これに関して、単一のインピンジメント面の側断面の形状は、その全体で直線若しくは曲線、若しくは、折れ線、又は、上述の側断面の形状の選択可能な組み合わせであってよい。
【００３３】
更に、注意すべきことは、インピンジメント乾燥ユニットは、エアインピンジメント（エアの吹き付け）を備えた単一のインピンジメント面（吹き付け面）のみを含んでよく、その側断面の形状は、直線、曲率が可変の曲線、折れ線、若しくはそれらの選択可能な組み合わせであり、直立位置とは、インピンジメント面の開始点と終了とを結ぶラインと、マシーンレベルに平行な水平面との間の角度が、インピンジメント側で１２０°以下となることを意味し、当該角度は、効果的には、１２０°〜６０°の範囲内であり、特に効果的な実施例によれば、約９０度である。
【００３４】
インピンジメント乾燥ユニットは、また、形状若しくは位置において対称となる２つのインピンジメント面を含んでよい。これに関して、本発明による直立位置とは、双方のインピンジメント面若しくはインピンジメント面の開始点と終了とを結ぶラインが、マシーンレベルに平行な水平面に対してある角度を形成することを意味し、当該角度は、１２０°以下であり、効果的には、１２０°〜６０°の範囲内である。
【００３５】
インピンジメント面が互いに平行であるとき、当該角度は、典型的には約９０°である。
【００３６】
インピンジメント面が乾燥用シリンダの列に向かって対称的に収束するとき、当該角度は、効果的には、１２０°〜６０°の範囲内から選択され、効果的には当該角度は、約７５°である。
【００３７】
本発明において、ウェブの走行性を更に改善しウェブの縮みを防止するためには、インピンジメントにより乾燥させられるウェブは、例えばブロー／吸引ボックス及び／又は吸引ロール及び／又は自身の回転エネルギから吸引力を発生するアクティブロールのような、真空装置によって支持される。
【００３８】
本発明による構成において、従来の多シリンダ型乾燥に比して、より少ない回転マスしか存在せず、これにより、振動から生ずる問題が最小化される。更に、基礎（土台）の計画がそれ故により安価となり、基礎がより軽量に構築できる。
【００３９】
本発明による効果的な一の適用例では、ウェブの両側を本発明によるインピンジメント乾燥ユニットにより乾燥でき、これにより、マシーン方向（ＭＤ）を横断する横断方向（ＣＤ）におけるウェブのカールを低減することが可能となる。
【００４０】
これにより、本発明は、添付図面を参照してより詳細に説明される。
【００４１】
次に、図２，図３及び図４を参照して、本発明の第１の効果的な実施例を説明する。本実施例では、インピンジメント乾燥ユニット１０において、ワイヤやその類のような乾燥繊維１（以下、ワイヤ１という）は、効果的には紙や板紙である繊維ウェブ２（以下、ウェブ２という）を支持し、乾燥用シリンダ３の列ＤＳＲから離れて配置されるインピンジメント乾燥ユニット１０の端部にて、補助回転ロール１４まわりにワイヤループ１１を形成し、インピンジメント乾燥ユニット１０は、ウェブ２に対して２つのインピンジメント面ＩＰ１，ＩＰ２を含み、インピンジメント面は、効果的には直立に配列され、ウェブ２を支持するワイヤ１の外面により画成される。
【００４２】
図２，図３及び図４に示す本発明の第１の実施例において、効果的には、インピンジメント乾燥ユニット１０が走行性部品としてブロー若しくは真空装置を内蔵し、ブロー若しくは真空装置は、乾燥用シリンダ３の列ＤＳＲ側のインピンジメント乾燥ユニットの端部に配置され、ワイヤ背後に真空を生成し、これにより、ウェブ２をワイヤ１に付着させる補助をし、ウェブ２とワイヤの走行性を改善し、特に、インピンジメント乾燥ユニット１０への走行及びインピンジメント乾燥ユニットからの走行を改善する。図２，図３及び図４は、更に、単一の補助回転ロール１４の代替実施例を破線により示しており、２若しくはそれ以上の補助回転ロール１４１，１４２が、単一の補助回転ロール１４に代わって使用されてよい。幾つかの補助回転ロール１４１，１４２が、乾燥用シリンダ３の列ＤＳＲから遠い側のインピンジメント乾燥ユニットの端部で使用されるとき、少なくとも略水平、即ち、水平若しくは斜めに立ち上がる若しくは斜めに下がるウェブ走行の走行部２３には、図２の破線により示すように、補助回転ロール１４１，１４２間の少なくとも略水平の走行部２３におけるウェブ２の表面に直接インピンジメントを向けるため、追加のインピンジメント装置１７が設けられてよい。尚、追加のインピンジメント装置１７に関して、追加のインピンジメント装置１７は、回転ロール１４若しくは補助回転ロール１４１，１４２（何れか一方でもよい）上に別の部品として谷状（溝槽型）に配置されてよく、追加のインピンジメント装置は、インピンジメント装置１０１と一体化されその一部を形成してよい。
【００４３】
本発明の第１実施例では、略直立した位置に配置されるインピンジメント面ＩＰ１，ＩＰ２の双方は、直線で、略鉛直な走行部２１，２２を含み、この走行部は、互いに略平行であり、効果的には、本発明によるインピンジメント乾燥ユニット１０の中心線Ｋの両側で略対称に走る。走行部２１，２２の双方には、ワイヤループ１１の外側に位置しウェブ２の表面に直接的なインピンジメントエアジェットを付与するインピンジメント乾燥装置１０１が設けられる。
【００４４】
インピンジメント乾燥ユニット１０において、フレーム構造の支持構造は、ワイヤループ１１の内側に配置されており、支持若しくはフレーム構造は、ワイヤ１及びウェブ２の走行を支持・案内する手段を含む。
【００４５】
本発明の第６実施例を概略的に示す図９を参照するに、シングルワイヤドローを適用する乾燥部において、乾燥集合の一部を構成し、乾燥部の最も上の乾燥用シリンダを通過しマシーンレベルに平行な水平面の上に延在し、且つ、マシーンレベルに対して鉛直に配置された乾燥集合の乾燥用シリンダ及び回転ロールと関連付けられるように配設される。
【００４６】
図９の本発明の第６実施例は、図４の本発明の第１実施例とは、直立位置に配置されたインピンジメント乾燥ユニット１０が、マシーンレベルに対して直立位置に配置された乾燥用シリンダ３及び回転シリンダ４の集合に関連付けられている点のみが、実質的に異なる。これに関して、直立位置に配置された回転シリンダ４、乾燥用シリンダ３、及び、インピンジメント乾燥ユニット１０は、マシーン方向で乾燥集合の非常に短い全体長さを可能とし、同時に、乾燥集合の乾燥能力が高い。
【００４７】
次に、図５を参照して、本発明の第２の効果的な実施例を説明する。第２実施例では、インピンジメント乾燥ユニット１０において、ワイヤやその類のような乾燥繊維１（以下、ワイヤ１という）は、効果的には紙や板紙である繊維ウェブ２（以下、ウェブ２という）を支持し、インピンジメント乾燥ユニット１０の下端部に位置する補助回転ロール１４まわりにワイヤループ１１を形成し、該インピンジメント乾燥ユニット１０の下端部は、乾燥用シリンダ３の列ＤＳＲから離れて配置され、インピンジメント乾燥ユニット１０は、乾燥集合Ｒの下方に乾燥集合Ｒ内部から延在する。インピンジメント乾燥ユニット１０は、ウェブ２に対して２つのインピンジメント面ＩＰ１，ＩＰ２を含み、インピンジメント面は、効果的には直立に配列され、ウェブ２を支持するワイヤ１の外面により画成される。
【００４８】
図５の本発明の第２の実施例において、効果的には、インピンジメント乾燥ユニット１０は、また、走行性部品としてブロー若しくは真空装置（図３及び図４の符合１５参照）を内蔵し、ブロー若しくは真空装置は、乾燥用シリンダ３の列ＤＳＲ側のインピンジメント乾燥ユニットＲの端部に配置され、ワイヤ背後に真空を生成し、これにより、ウェブ２をワイヤ１に付着させる補助をし、ウェブ２とワイヤの走行性を改善し、特に、インピンジメント乾燥ユニット１０への走行及びインピンジメント乾燥ユニット１０からの走行を改善する。
【００４９】
図５は、更に、単一の補助回転ロール１４の代替実施例を破線により示しており、２若しくはそれ以上の補助回転ロール１４１，１４２が、単一の補助回転ロール１４に代わって使用されてよい。幾つかの補助回転ロール１４１，１４２が、乾燥用シリンダ３の列ＤＳＲから遠い側のインピンジメント乾燥ユニット１０の端部で使用されるとき、少なくとも略水平、即ち、水平若しくは斜めに立ち上がる若しくは斜めに下がるウェブ走行の走行部２３には、図５の破線により示すように、補助回転ロール１４１，１４２間の少なくとも略水平の走行部２３におけるウェブ２の表面に直接インピンジメントを向けるため、追加のインピンジメント装置１７が設けられてよい。尚、追加のインピンジメント装置１７に関して、追加のインピンジメント装置１７は、回転ロール１４若しくは補助回転ロール１４１，１４２（何れか一方でもよい）上に別の部品として谷状に配置されてよく、追加のインピンジメント装置は、インピンジメント装置１０１と一体化されその一部を形成してよい。
【００５０】
図５の本発明の第２実施例では、略直立した位置に配置されるインピンジメント面ＩＰ１，ＩＰ２の双方は、直線で、略鉛直な走行部２１，２２を含む。この鉛直走行部は、マシーンレベルに平行な水平面に略直角をなし、効果的には、本発明によるインピンジメント乾燥ユニット１０の中心線Ｋの両側で、互いに対称であり且つ互いに平行である。走行部２１，２２の双方には、ワイヤループ１１の外側に位置しウェブ２の表面に直接的なインピンジメントエアジェットを付与するインピンジメント乾燥装置１０１が設けられる。
【００５１】
インピンジメント乾燥ユニット１０において、効果的には、フレーム構造の支持構造は、ワイヤループ１１の内側に配置されており、支持若しくはフレーム構造は、ワイヤ１及びウェブ２の走行をインピンジメント乾燥ユニット１０内で支持・案内する手段を含む。
【００５２】
図６を参照して、本発明の第３の実施例を説明する。本実施例では、インピンジメント乾燥ユニット１０において、ワイヤ１は、ウェブ２を支持し、補助回転ロール１４まわりに走行するワイヤループ１１を形成し、ウェブ２に対して２つのインピンジメント面ＩＰ１及びＩＰ２を含み、このインピンジメント面は、略直立位置にあり、ウェブ２を支持するワイヤ１の外面により画成される。図６の第３実施例によるインピンジメント乾燥ユニット１０には、本発明の第１実施例で説明したのと同一態様で、走行性部品が設けられてよく、この走行性部品は、効果的には、乾燥用シリンダ３の列ＤＳＲ側のインピンジメント乾燥ユニット１０の端部に配置されるブロー若しくは真空装置（図３及び図４の符合１５参照）である。図６は、更に、単一の補助回転ロール１４の代替実施例を破線により示しており、２若しくはそれ以上の補助回転ロール１４１，１４２が、単一の補助回転ロール１４に代わって使用されてよい。幾つかの補助回転ロール１４１，１４２が、乾燥用シリンダ３の列ＤＳＲから遠い側のインピンジメント乾燥ユニット１０の端部で使用されるとき、少なくとも略水平、即ち、水平若しくは斜めに立ち上がる若しくは斜めに下がるウェブ走行の走行部（図２の符合２３参照）には、図２で破線及び符合１７により示したように、追加のインピンジメント装置が設けられてよく、補助回転ロール１４１，１４２間の略水平の走行部２３においてウェブ２の表面に直接インピンジメントを向ける。本発明の第１実施例で既に述べたように、追加のインピンジメント装置１７は、回転ロール１４若しくは補助回転ロール１４１，１４２（何れか一方でもよい）上に別の部品として谷状に配置されてよく、追加のインピンジメント装置は、インピンジメント装置１０１と一体化されその一部を形成してよい。
【００５３】
図６の本発明の第３実施例では、略立直位置に配置されたインピンジメント面ＩＰ１，ＩＰ２の双方は、内側、若しくは、図６に示すように、外側に可変に湾曲してよい曲率の半径を有する走行部２１１，２２１を含む。走行部は、また、互いにある角度をなす連続的な直線部により形成されてよく、走行部は、インピンジメント装置１０の中心線Ｋに対して内側若しくは外側に向けられた折れ線の形状で走行する。効果的には、走行部２１１，２２１は、本発明によるインピンジメント乾燥ユニット１０の中心線Ｋに対して対称に走る。従って、本発明によれば、可変に湾曲した曲率の半径を有するか、若しくは、折れ線の形状である走行部２１１，２２１の双方には、ワイヤループ１１の外側に位置しウェブ２の表面に直接的なインピンジメントエアジェットを付与するインピンジメント装置１０２が設けられる。
【００５４】
インピンジメント乾燥ユニット１０において、ワイヤループ１１の内側には、ワイヤ１及びウェブ２の走行を支持・案内するための手段が配設される。
【００５５】
図７及び図８を参照して、本発明の第４及び第５の効果的な実施例を説明する。これらの実施例では、ウェブ２を支持するワイヤ１は、ワイヤループ１１を形成し、２つの補助回転ロール１４１，１４２まわりを走行し、連続的な走行部２１２，２３，２２２からなりウェブ２に対して２つのインピンジメント面ＩＰ１，ＩＰ２を含む略三角形に沿って走行し、このインピンジメント面は、略直立位置にあり、ウェブ２を支持するワイヤ１の外面により画成される。これに関して、三角形のウェブ走行は、略水平の追加のインピンジメント面ＡＩＰを含み、インピンジメント面ＡＩＰは、補助回転ロール１４１，１４２間にあり、補助回転ロール１４１，１４２間を走行しウェブ２を支持するワイヤ１の外面により画成される。
【００５６】
それぞれ直立位置にある第１及び第２のインピンジメント面ＩＰ１，ＩＰ２は、マシーンレベルに平行な水平面に対して直角から少なくとも部分的に逸脱する角度をなし、三角形走行の２つの走行部２１２，２２２を形成し、走行部は、乾燥集合Ｒの乾燥用シリンダ３の列ＤＳＲに対してある角度をなし、互いに収束する。
【００５７】
図７に示す本発明の第４実施例では、インピンジメント面ＩＰ１，ＩＰ２及びそれらの走行部２１２，２２２は、図７の本発明の第４実施例において、それらのインピンジメントエアジェット側で、マシーンレベルに平行な水平面に対して約７５°の同一角度をなし、乾燥用シリンダの列ＤＳＲに向かってインピンジメント乾燥ユニット１０の中心線Ｋの両側で対称的に収束する。
【００５８】
図８に示す本発明の第５実施例では、インピンジメント面ＩＰ１，ＩＰ２及びそれらのそれぞれに対応する走行部２１２，２２２は、それらのインピンジメントエアジェット側で異なる角度をなし、インピンジメントエアジェット側でマシーンレベルに平行な水平面に対して１２０°−６０°（９０°を除く）範囲内の角度をなし、更に、全体のインピンジメント乾燥ユニットの中心線Ｋは、マシーンレベルに平行な水平面に対して９０度以外の角度で傾斜している。図７及び図８に示す収束するインピンジメント面ＩＰ１，ＩＰ２（走行部２１２，２２２）の双方には、それら独自のインピンジメント装置１０３が設けられ、インピンジメント装置１０３は、ワイヤループ１１の外側に位置し、ウェブ２の表面に直接的なインピンジメントエアジェットを付与する。更に、効果的には、少なくとも、略水平、即ち、水平若しくは斜めに立ち上がる若しくは斜めに下がるウェブ走行の走行部２３が、補助回転ロール１４１，１４２間の略水平の走行部２３においてウェブ２の表面に直接インピンジメントを向けるため、追加のインピンジメント装置１７に設けられ、走行部２３は、追加のインピンジメント面ＡＩＰに位置する。本発明の第１実施例に関連して上述した如く、かかる追加のインピンジメント装置１７は、回転ロール１４若しくは補助回転ロール１４１，１４２（何れか一方でもよい）上に別の部品として谷状に配置されてよく、追加のインピンジメント装置は、インピンジメント装置１０１と一体化されその一部を形成してよい。
【００５９】
インピンジメント乾燥ユニット１０２において、ワイヤループ１１の内側には、ワイヤ１及びウェブ２の走行を支持・案内するための手段１３（図４の符合１６参照）が配設される。
【００６０】
尚、特にインピンジメントに関して、ウェブ２は、インピンジメントに対向する側から案内・支持される。この目的のため、ワイヤループ１１の内側に配置されワイヤ１及びウェブ２の走行を支持・ガイドする装置は、例えば、支持ロール１３、及び／又は、真空装置、及び／又は、ブロー／吸引ボックス１６（図３及び図４参照）、及び／又は、自身の回転エネルギから吸引力を生成すると共にウェブ２の縮みを防止する補助をする能動ロールのような、支持ロール間に配置され走行性を高めることを可能とする他の支持手段を含む。ワイヤループ１１は、効果的には、乾燥集合Ｒにおいてワイヤループ１１の内側に位置し本発明によるインピンジメント乾燥ユニット１０内でワイヤ１を案内及び／又は支持する全ての手段１３，１６を、支持するフレーム構造の外側に配置される。フレーム構造は、例えばほぼ対向方向に延在する２つのビーム状のアームから形成されてよく、支持ロール１３は、両アームの端部に配置され、ワイヤ１及びウェブ２の走行を保証する。
【００６１】
ワイヤ１は、組み合わせのガイドテンション装置（図示せず）により案内され且つ張りを持たされてよく、ガイドテンション装置は、組み合わせ装置に接続されるアクチュエータ（例えば、圧力シリンダ）と共に、ガイドロール及び張りロールを含む。これに関して、組み合わせ装置における張りロールの位置は、ワイヤ１の張力が適切となるようにアクチュエータにより調整可能とされる。
【００６２】
図２の実施例では、インピンジメント乾燥ユニット１０は、乾燥部でシングルワイヤドローを適用する一の乾燥集合Ｒと関連して配置されており、インピンジメント乾燥ユニット１０が、乾燥集合の第１の回転ロール４の直下で、図２で左から右のマシーン方向で乾燥集合Ｒの下方に配置され、ワイヤループ１１は、乾燥集合Ｒのワイヤ１から形成される。ワイヤ２は、シングルワイヤドローを適用する右手の乾燥集合Ｒの第１の回転ロール４から下方にインピンジメント乾燥ユニット１０の入口に到達し、そこから、ウェブ２のために設けられ乾燥集合Ｒから離れる方向、即ち図の下方向に向く第１のインピンジメント面ＩＰ１、及び、これに関連した略直線の第１の走行部２１が開始する。第１のインピンジメント面ＩＰ１の後、ワイヤ１は、補助回転ロール１４まわりを走行し、その後、ウェブ２のために設けられ乾燥集合Ｒから近づく方向、即ち図２の上方向に向く第２のインピンジメント面ＩＰ２、及び、これに関連した略直線の第２の走行部２２が開始する。第２のインピンジメント面ＩＰ２の後、ワイヤ１は、インピンジメント乾燥ユニット１０の出口側から乾燥集合Ｒの第２の乾燥用シリンダ３に戻る。インピンジメント乾燥ユニット１の後、ワイヤ及びウェブは、乾燥集合Ｒの他の乾燥用シリンダ３及び回転ロール４のまわりを共に蛇行する。
【００６３】
従って、図２の実施例では、インピンジメント乾燥ユニット１０の第１の走行部２１において、ウェブ２は、乾燥集合Ｒから離れる方向に略直線で第１のインピンジメント面ＩＰ１に対して走行し、その後、第２の走行部２２において、乾燥集合Ｒに向かう方向に略直線で第２のインピンジメント面ＩＰ２に対して走行する。乾燥集合Ｒに向かうようにウェブ２の走行を進路変更させるため、インピンジメント乾燥ユニット１０には、補助回転ロール１４からなる回転装置、若しくは、方向を変化させるための他の補助手段が設けられる。或いは、単一の補助回転ロール１４は、図２の破線に示すように、２つの補助回転ロール１４１，１４２に代替されてよい。第１及び第２の略直立の走行部２１，２２間の水平方向の距離に依存して、追加のインピンジメント装置１７が、補助回転ロール１４１，１４２間のウェブ走行の走行部２３内に配置されてよく、この走行部は、略水平、即ち、水平若しくは斜めに立ち上がる若しくは斜めに下がる。また、乾燥集合の通常の回転シリンダ４は、必要な時、乾燥用シリンダ３からインピンジメント乾燥ユニット１０まで及びその逆の経路でのウェブ２及びワイヤ１の走行をガイドするため、２つのより小さい径のウェブ２のガイドロールに置換されてよい。
【００６４】
図２の実施例では、略直立位置に配置されワイヤ１の外面により画成され乾燥集合Ｒから離れる向きの第１のインピンジメント面ＩＰ１、及び、第１の走行部２１、略直立位置に配置されワイヤ１の外面により画成され乾燥集合Ｒに向かう向きの第２のインピンジメント面ＩＰ２、及び、第２の走行部２２は、略平行であり、効果的には、インピンジメント側で、マシーンレベルに平行な水平面に対して約９０°を形成する。これに関して、効果的には、インピンジメント面ＩＰ１、ＩＰ２は、走行部２１，２２と同様、インピンジメント乾燥ユニット１０の中心線Ｋ、即ち、インピンジメント面の対称線、の両側で対称的に配置され、インピンジメント乾燥ユニット１０の中心線Ｋ若しくはインピンジメント面ＩＰ１、ＩＰ２の対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、該角度は、効果的には、インピンジメント側で１２０°より小さく維持され、特に重力の有害な作用を最小化するため、効果的には１２０°〜６０°の範囲内とされる。
【００６５】
図２に示す実施例では、インピンジメント乾燥ユニット１０において、ワイヤループ１１の鉛直の走行部２１，２２上に２つのインピンジメント装置１０１が存在し、第１のインピンジメント装置１０１は、乾燥集合Ｒから離れる方向に略直線的に走行し走行部２１に沿って第１のインピンジメント面ＩＰ１に存在するウェブ２に、インピンジメントエアジェットを直接印加し、また、第２のインピンジメント装置１０１は、乾燥集合Ｒに近接する方向に略直線的に走行し走行部２２に沿って第２のインピンジメント面ＩＰ２に存在するウェブ２に、インピンジメントエアジェットを直接印加する。尚、図示した実施例に加えて、本発明は、異なる数のインピンジメント乾燥装置１０若しくはインピンジメント面ＩＰ１、ＩＰ２を有するユニットを備えたインピンジメント乾燥ユニット１０及び乾燥部及び乾燥集合Ｒを内包する。従って、本発明によるインピンジメント乾燥ユニット１０は、少なくとも１つのインピンジメント面を含み、それに作用する少なくとも１つのインピンジメント乾燥装置を含む。
【００６６】
図３に示す実施例では、本発明の第１実施例によるインピンジメント乾燥ユニット１０は、乾燥部でツインワイヤドローを適用する一の乾燥集合Ｒに関連して配置されており、インピンジメント乾燥ユニット１０が、乾燥集合Ｒの乾燥用シリンダ３の列ＤＳＲの略下方で、同一の乾燥用シリンダの列に属する２つの連続的な乾燥用シリンダ３の間で、実質的に下側の列の乾燥用シリンダ３の位置で、マシーンレベル及び図３では左から右のマシーン方向（ＭＤ）に平行な水平面内に配置されるようにする。本発明の実施例では、ワイヤループ１１は、乾燥集合Ｒのワイヤ１から形成される。ワイヤ１は、ツインワイヤドローを適用する乾燥集合の乾燥用シリンダ３からインピンジメント乾燥ユニット１０の入口側に至り、そこから、ウェブ２に対して設けられワイヤ１の外面により画成され乾燥集合Ｒから離反する方向のインピンジメント乾燥ユニットの略鉛直の第１のインピンジメント面ＩＰ１、及び、第１のインピンジメント面ＩＰ１に関連する略直線の第１の走行部２１が開始する。第１の走行部２１後、ワイヤ１は、補助回転ロール１４まわりを走行し、その後、ウェブ２に対して設けられ乾燥集合Ｒに近接する方向の略鉛直の第２のインピンジメント面ＩＰ２が開始し、該インピンジメント面は、ワイヤ１の外面により画成され、これに、略直線の第２の略走行部２２が関連付けられる。第２のインピンジメント面ＩＰ２の後、ウェブ２及びワイヤ１は、乾燥集合Ｒの乾燥用シリンダ３へとインピンジメント乾燥ユニット１０の出口側から戻る。
【００６７】
図３の実施例では、ウェブ２は、従って、インピンジメント乾燥ユニット１０内で、先ず、乾燥集合Ｒから離れる方向に略直線的な経路に沿って第１のインピンジメント面ＩＰ１に位置する第１の走行部２１内を走行し、次いで、乾燥集合Ｒに近づく方向に略直線的な経路に沿って第２のインピンジメント面ＩＰ２に位置する第２の走行部２２内を走行する。ウェブ２の走行方向を乾燥集合Ｒから離反する方向から近接する方向に変化させるため、インピンジメント乾燥ユニット１０は、補助回転ロール１４からなる回転装置、若しくは、方向を変えるためのその他の補助手段を含む。単一の補助回転ロール１４は、図３の破線に示すように、２つの補助回転ロール１４１，１４２に代替されてよい。略直立に配置された第１及び第２のインピンジメント面ＩＰ１，ＩＰ２間、若しくは、走行部２１，２２間の水平方向の距離に依存して、ウェブ２に作用する追加のインピンジメント装置（図２及び図６の符合１７参照）が、乾燥用シリンダ３の列ＤＳＲ側のインピンジメント乾燥ユニット１０の端部にて、補助回転ロール１４１，１４２間のウェブ走行の走行部２３内に配置されてよく、この走行部は、略水平、即ち、水平若しくは斜めに立ち上がる若しくは斜めに下がる。また、乾燥用シリンダ３からインピンジメント乾燥ユニット１０まで及びその逆の経路でのウェブ２及びワイヤ１の走行をガイドするため、一の回転シリンダ、若しくは、図３に示すように、２つのガイドロールが使用されてよい。本発明の乾燥用シリンダ３の列ＤＳＲ側のインピンジメント乾燥ユニット１０の端部は、効果的には、ワイヤ１の下に真空を形成するブロー装置１５を走行性部材として備え、これにより、乾燥用シリンダ３からインピンジメント乾燥ユニット１０まで及びその逆の経路でのウェブ２及びワイヤ１の走行が支持可能となる。
【００６８】
図３に示す実施例では、略直立位置に配置された乾燥集合Ｒから離れる向きの第１のインピンジメント面ＩＰ１、及び、それに関連する第１の走行部２１、略直立位置に配置された乾燥集合Ｒに向かう向きの第２のインピンジメント面ＩＰ２、及び、それに関連する第２の走行部２２は、互いに略平行であり、効果的には、インピンジメント側で、マシーンレベルに平行な水平面に対して約９０°を形成する。効果的には、インピンジメント面ＩＰ１、ＩＰ２は、インピンジメント乾燥ユニット１０の中心線Ｋの両側で対称的に配置され、インピンジメント面の中心線若しくは対称線Ｋは、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、該角度は、効果的には、インピンジメント側で１２０°より小さく維持される。特に重力の有害な作用を許容可能な範囲内に維持するためには、上記角度は、効果的には１２０°〜６０°の範囲内から選択される。
【００６９】
図３の実施例では、インピンジメント乾燥ユニット１０には、２つのインピンジメント装置１０が、ワイヤループ１１の鉛直の走行部２１，２２に存在し、第１のインピンジメント装置１０１が、乾燥集合Ｒから離れる方向に直線的に走行し第１のインピンジメント面ＩＰ１に存在するウェブ２の表面にインピンジメントエアジェットを直接付与するようにすると共に、第２のインピンジメント装置１０２が、乾燥集合Ｒに向かう方向に直線的に走行し第２のインピンジメント面ＩＰ２に存在するウェブ２の表面にインピンジメントエアジェットを直接付与するようにする。尚、図示した実施例に加えて、本発明は、異なる数のインピンジメント乾燥装置１０若しくはインピンジメント面ＩＰ１、ＩＰ２を有するユニットを備えたインピンジメント乾燥ユニット１０及び乾燥部及び乾燥集合Ｒを内包する。従って、本発明によるインピンジメント乾燥ユニット１０は、少なくとも１つのインピンジメント面ＩＰ１、ＩＰ２を含み、それに作用する少なくとも１つのインピンジメント乾燥装置１０１を含む。
【００７０】
図４の実施例では、インピンジメント乾燥ユニット１０は、シングルワイヤドローを適用する一の乾燥集合Ｒと関連して配置されており、乾燥集合Ｒでは、ワイヤ１及びそれに支持されたウェブ２は、乾燥用シリンダ３上でウェブ２が乾燥用シリンダ３にワイヤ１の下側で接するように、且つ、回転ロール４上でワイヤ１がウェブ２の下側で接するように、乾燥用シリンダ３及び回転ロール４まわりを蛇行する。
【００７１】
図４の実施例では、本発明によるインピンジメント乾燥ユニット１０は、乾燥集合Ｒの上側に配置されており、自身のワイヤループ１１を備え、ワイヤループ１１を所望の張りに維持するため、水平方向に配置されてよいガイドロール及び張りロールが、ワイヤループ１１に作用するために配設される。インピンジメント乾燥ユニットのワイヤループ１１は、その左右に配置される乾燥集合Ｒの回転ロール４とマシーンレベルの方向で回転接触し、図４の左から右のマシーン方向（ＭＤ）には、ウェブ２は、インピンジメント乾燥ユニット１０の入口側で、乾燥集合の左手のワイヤから拾われ、インピンジメント乾燥ユニット１０のワイヤ１上で進み、出口側では、インピンジメント乾燥ユニット１０のワイヤ１から乾燥集合Ｒの右手のワイヤ上へと進む。ウェブ２のために設けられ直立位置に配置された第１の略直線のインピンジメント面ＩＰ１、及び、これに関連し乾燥集合Ｒから離れる方向に向かう、即ち、図中の鉛直上方向に向かう第１の走行部２１は、インピンジメント乾燥ユニット１０の入口側から開始する。第１の走行部２１の後、インピンジメント乾燥ユニット１０のワイヤ１は、補助回転ロール１４まわりを走行し、その後、ウェブ２のために設けられた略直立で略直線の第２のインピンジメント面ＩＰ２、及び、これに関連し乾燥集合Ｒに近接する方向に向かう、即ち、図中の鉛直下方向に向かう第２の走行部２２が開始する。ウェブ２は、インピンジメント乾燥ユニット１０のワイヤ１から乾燥集合Ｒのワイヤ上へと進み、更に乾燥集合Ｒのワイヤにより回転ロールの周上まで進み、その後、ワイヤ及びウェブは、再び、乾燥集合Ｒの乾燥用シリンダ３及び回転ロール４のまわりを蛇行する。
【００７２】
図４の実施例では、ウェブ２は、従って、直立位置に配置された第１のインピンジメント面ＩＰ１に存在するインピンジメント乾燥ユニット１０の第１の走行部２１内を、略直線の経路に沿って乾燥用シリンダ３の列ＤＳＲから離れる方向に走行し、直立位置に配置された第２のインピンジメント面ＩＰ２に存在する第２の走行部２２では、略直線の経路に沿って乾燥用シリンダ３の列ＤＳＲに向かう方向に走行する。ウェブ２の走行方向を乾燥用シリンダ３の列ＤＳＲから離反する方向から乾燥用シリンダ３の列ＤＳＲに近接する方向に変化させるため、インピンジメント乾燥ユニット１０は、例えば補助回転ロール１４である回転装置、若しくは、方向を変えるためのその他の補助手段を含む。走行部２１，２２間の水平方向の距離に依存して、補助回転ロールや方向を変えるためのその他の補助手段のような、２つの回転装置が使用されてよく、回転装置の間には、効果的には、水平方向のブロー／吸引ボックス組立体（図７の符合１８参照）が存在し、また、追加のインピンジメント装置（図２及び図７の符合１７参照）が、追加的に補助回転ロールや回転装置間に配設される。
【００７３】
図４の実施例では、略直立位置に配置され乾燥用シリンダ３の列ＤＳＲから離れる向きの第１のインピンジメント面ＩＰ１、及び、それに関連する第１の走行部２１、略直立位置に配置され乾燥用シリンダ３の列ＤＳＲに向かう向きの第２のインピンジメント面ＩＰ２、及び、それに関連する第２の走行部２２は、インピンジメント側で、マシーンレベルに平行な水平面に対して約９０°を形成する。最も効果的には、インピンジメント面ＩＰ１、ＩＰ２は、インピンジメント乾燥ユニット１０の中心線Ｋ、即ちインピンジメント面ＩＰ１、ＩＰ２の対称ラインの両側で対称的に配置され、インピンジメント面の中心線若しくは対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、重力の有害な作用を最小限に抑える観点からは、上記角度を、インピンジメント面側で、１２０°〜６０°の範囲内に維持することが有用である。
【００７４】
図４の実施例では、インピンジメント乾燥ユニット１０においては、ワイヤループ１１の鉛直の走行部２１，２２上に２つのインピンジメント乾燥装置１０１があり、第１のインピンジメント装置１０１が、乾燥用シリンダ３の列ＤＳＲから離れる方向に直線的に走行し第１のインピンジメント面ＩＰ１に存在するウェブ２の表面にインピンジメントエアジェットを直接付与するようにすると共に、第２のインピンジメント装置１０２が、乾燥用シリンダ３の列ＤＳＲに向かう方向に直線的に走行し第２のインピンジメント面ＩＰ２に存在するウェブ２の表面にインピンジメントエアジェットを直接付与するようにする。尚、図示した実施例に加えて、本発明は、異なる数のインピンジメント乾燥装置１０若しくはインピンジメント面ＩＰ１、ＩＰ２を有するユニットを備えたインピンジメント乾燥ユニット１０及び乾燥部及び乾燥集合Ｒを内包する。従って、本発明によるインピンジメント乾燥ユニット１０は、少なくとも１つのインピンジメント面ＩＰ１、ＩＰ２を含み、それに作用する少なくとも１つのインピンジメント乾燥装置１０１を含む。
【００７５】
図５の第２の実施例では、インピンジメント乾燥ユニット１０は、乾燥部でシングルワイヤドローを適用する一の乾燥集合Ｒと関連して配置されており、インピンジメント乾燥ユニット１０が、乾燥集合Ｒの内側からマシーンレベルに平行な水平面の下方に延在し、乾燥集合Ｒの最も下側の乾燥用シリンダを通り、即ち、最も下側の乾燥用シリンダの下方に位置し、ワイヤループ１１は、乾燥集合Ｒのワイヤ１から形成される。図５の実施例では、直立位置に配置されたインピンジメント乾燥ユニット１０は、乾燥集合Ｒの第１の回転ロール４の位置に配置されている。ワイヤ２は、シングルワイヤドローを適用する乾燥集合Ｒの第１の乾燥用シリンダ３から、インピンジメント乾燥ユニット１０の入口側に下方に走行し、そこから、ウェブ２のために設けられ乾燥集合Ｒから離れる方向、即ち図５の下方向に向く第１のインピンジメント面ＩＰ１、及び、これに関連した略直線の第１の走行部２１が開始する。第１のインピンジメント面ＩＰ１の後、ワイヤ１は、補助回転ロール１４まわりを走行し、その後、ウェブ２のために設けられ乾燥集合Ｒから近づく方向、即ち図５の上方向に向く第２のインピンジメント面ＩＰ２、及び、これに関連した略直線の第２の走行部２２が開始する。第２のインピンジメント面ＩＰ２の後、ワイヤ１は、インピンジメント乾燥ユニット１０の出口側から乾燥集合Ｒの第２の乾燥用シリンダ３に戻る。インピンジメント乾燥ユニット１の後、ワイヤ及びウェブは、乾燥集合Ｒの他の乾燥用シリンダ３及び回転ロール４のまわりを共に蛇行する。
【００７６】
従って、図５の実施例では、略直立位置に配置されワイヤ１の外面により画成され乾燥集合Ｒから離れる向きの第１のインピンジメント面ＩＰ１、及び、第１の走行部２１、略直立位置に配置されワイヤ１の外面により画成され乾燥集合Ｒに向かう向きの第２のインピンジメント面ＩＰ２、及び、第２の走行部２２は、略平行であり、効果的には、インピンジメント側で、マシーンレベルに平行な水平面に対して約９０°を形成する。これに関して、効果的には、インピンジメント面ＩＰ１、ＩＰ２は、走行部２１，２２と同様、インピンジメント乾燥ユニット１０の中心線Ｋ、即ちインピンジメント面の対称ラインの両側で対称的に配置され、インピンジメント乾燥ユニット１０の中心線Ｋ若しくはインピンジメント面ＩＰ１、ＩＰ２の対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、該角度は、効果的には、インピンジメント側で１２０°より小さく維持され、特に重力の有害な作用を最小化するため、効果的には１２０°〜６０°の範囲内とされる。
【００７７】
図５の実施例では、インピンジメント乾燥ユニット１０においては、ワイヤループ１１の鉛直の走行部２１，２２上に２つのインピンジメント乾燥装置１０１があり、第１のインピンジメント装置１０１が、乾燥集合Ｒから離れる方向に直線的に走行し第１のインピンジメント面ＩＰ１に存在するウェブ２の表面にインピンジメントエアジェットを直接付与するようにすると共に、第２のインピンジメント装置１０２が、乾燥集合Ｒに向かう方向に直線的に走行し第２のインピンジメント面ＩＰ２に存在するウェブ２の表面にインピンジメントエアジェットを直接付与するようにする。尚、図示した実施例に加えて、本発明は、異なる数のインピンジメント乾燥装置１０若しくはインピンジメント面ＩＰ１、ＩＰ２を有するユニットを備えたインピンジメント乾燥ユニット１０及び乾燥部及び乾燥集合Ｒを内包する。従って、本発明によるインピンジメント乾燥ユニット１０は、少なくとも１つのインピンジメント面ＩＰ１、ＩＰ２を含み、それに作用する少なくとも１つのインピンジメント乾燥装置１０１を含む。
【００７８】
図６は、本発明の第６の効果的な実施例を示し、第１の実施例に対する主な相違は、略鉛直に配置された第１のインピンジメント面ＩＰ１、略鉛直に配置された第２のインピンジメント面ＩＰ２の形状が、これらに関連するインピンジメント乾燥ユニット１０の第１及び第２の走行部２１，２２の形状と同様、異なることである。尚、曲率の半径で可変に湾曲するインピンジメント面ＩＰ１、ＩＰ２の側断面形状に加えて、インピンジメント面ＩＰ１、ＩＰ２は、互いに選択可能な角度をなす連続的な直線部及び／又は曲線部により形成されてもよく、インピンジメント面ＩＰ１、ＩＰ２の側断面形状は、折れ線の形状となる。
【００７９】
図６の第３の実施例において、インピンジメント乾燥ユニット１０は、シングルワイヤドローを適用する一の乾燥集合Ｒと関連して配置されており、乾燥集合Ｒでは、ワイヤ１及びそれに支持されたウェブ２は、乾燥用シリンダ３上でウェブ２が乾燥用シリンダ３にワイヤ１の下側で接するように、且つ、回転ロール４上でワイヤ１がウェブ２の下側で接するように、乾燥用シリンダ３及び回転ロール４まわりを蛇行する。
【００８０】
インピンジメント乾燥ユニット１０は、図２中左から右のマシーン方向で乾燥集合Ｒの下側に配置され、回転ロール４及びワイヤループ１１の直下には、乾燥集合Ｒのワイヤ１が形成される。図６に示すように、ワイヤ１は、ウェブ２と共に、シングルワイヤドローを適用する乾燥集合Ｒの乾燥用シリンダ３から到達し、そこから、ワイヤ１及びウェブ２は、インピンジメント乾燥ユニット１０まで移動し、その開始位置から、ウェブ２のために設けられ略直立に配置され乾燥用シリンダ３の列ＤＳＲから離れる方向、即ち図の下方向に向く第１のインピンジメント面ＩＰ１、及び、これに関連した第１の走行部２１１が開始し、当該インピンジメント面及び走行部の側断面は、本発明の第２実施例において、曲率の半径で可変に湾曲する。第１のインピンジメント面ＩＰ１の後、ワイヤ１は、補助回転ロール１４まわりを走行し、その後、ウェブ２のために設けられ略直立に配置された第２のインピンジメント面ＩＰ２、及び、これに関連した第２の走行部２２１が開始し、当該第２のインピンジメント面は、湾曲した横断面形状を有する。第２のインピンジメント面ＩＰ２の後、ワイヤ１は、インピンジメント乾燥ユニット１０の出口側から回転ロール４の周上へ戻る。
【００８１】
図６の実施例では、ウェブ２は、従って、インピンジメント乾燥ユニット１０内で、先ず、第１のインピンジメント面ＩＰ１に対向して、湾曲した第１の走行部２１１内を、乾燥用シリンダ３の列ＤＳＲから離れる方向に走行し、次いで、第２のインピンジメント面ＩＰ２に対向して、湾曲した第２の走行部２２１内を、乾燥用シリンダ３の列ＤＳＲに向かう方向に走行する。ウェブ２の走行方向を乾燥用シリンダ３の列ＤＳＲから離反する方向から乾燥用シリンダ３の列ＤＳＲに近接する方向に変化させるため、インピンジメント乾燥ユニット１０は、補助回転ロール１４、若しくは、図５中破線で示す補助回転ロール１４１，１４２、若しくは、方向を変えるためのその他の補助手段を含む。走行部２１１，２２１間の水平方向の距離に依存して、補助回転ロール１４１，１４２若しくは他の回転装置間に水平方向のブロー／吸引ボックス組立体を使用することも可能であり、水平方向の追加のインピンジメント装置（図２及び図７の符合１７参照）が、補助回転ロール間や回転装置間に配設されてよい。
【００８２】
本発明の第２の実施例では、乾燥集合Ｒから離れる向きの第１のインピンジメント面ＩＰ１、及び、それに関連する第１の走行部２１１、及び／又は、乾燥集合Ｒに向かう向きの第２のインピンジメント面ＩＰ２、及び、それに関連する第２の走行部２２１は、図６に示すように、インピンジメント側で、マシーンレベルに平行な水平面に対して約９０°を形成する。最も効果的には、インピンジメント面ＩＰ１、ＩＰ２は、インピンジメント乾燥ユニット１０の中心線Ｋの両側、即ち、インピンジメント面の対称線の両側で対称的に配置され、インピンジメント面の中心線Ｋ若しくは対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、該角度は、効果的には、インピンジメント側で１２０°以下に維持され、特に重力の有害な作用を許容可能な範囲内に維持するためには、１２０°〜６０°の範囲内に維持されることが有効である。インピンジメント乾燥ユニット１０が、乾燥用シリンダの列ＤＳＲの下方に位置するユニットであるとき、上記角度は、効果的には９０°〜６０°の範囲内であり、重力の有害な作用が略防止される。
【００８３】
図６の実施例では、インピンジメント乾燥ユニット１０においては、ワイヤループ１１の第１及び第２のインピンジメント面ＩＰ１、ＩＰ２上に２つのインピンジメント乾燥装置１０１があり、第１のインピンジメント装置１０１が、乾燥用シリンダ３の列ＤＳＲから離れる方向に第１のインピンジメント面ＩＰ１の湾曲した走行部２１１に沿って走行するウェブ２の表面にインピンジメントエアジェットを直接付与するようにすると共に、第２のインピンジメント装置１０２が、乾燥用シリンダ３の列ＤＳＲに向かう方向に第１のインピンジメント面ＩＰ１の湾曲した走行部２１１に沿って走行するウェブ２の表面にインピンジメントエアジェットを直接付与するようにする。
【００８４】
尚、図６に示した第２の実施例に加えて、本発明は、異なる数のインピンジメント乾燥装置１０若しくはインピンジメント面ＩＰ１、ＩＰ２を有するユニットを備えたインピンジメント乾燥ユニット１０及び乾燥部及び乾燥集合Ｒを内包する。従って、本発明によるかかるユニットを備えたインピンジメント乾燥ユニット１０及び乾燥部及び乾燥集合Ｒは、少なくとも１つのインピンジメント面ＩＰ１、ＩＰ２を含み、それに作用する少なくとも１つのインピンジメント乾燥装置１０２を含む。また、本発明の観点は、湾曲した走行部のみならず、走行部の側断面が略折れ線の形状となる、その全体若しくは部分が幾つかの連続的な直線部からなる走行部にも限定されることはない。また、強調されるべきことは、インピンジメント乾燥ユニットは、エアインピンジメントを備えた唯一のインピンジメント面のみを含んでよく、そのインピンジメント面の側断面形状は、曲線若しくは折れ線若しくはこれらの組み合わせであってよく、直線の走行部に関して、直立位置は、エアインピンジメント側で、走行部の開始点と終了とを結ぶラインが、マシーンレベルに平行な水平面に対してある角度をなし、本発明による当該角度は、１２０°以下であり、効果的には、１２０°〜６０°の範囲内であり、重力の弊害を防止する。特に効果的には、マシーンレベルに平行な水平面に対して形成される当該角度は、本発明によれば約９０度である。更に、本発明によれば、効果的には、インピンジメント面ＩＰ１、ＩＰ２は、インピンジメント乾燥ユニット１０の中心線Ｋの両側、即ち、インピンジメント面の対称線の両側で対称的に配置され、インピンジメント面の中心線Ｋ若しくは対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、該角度は、効果的には、インピンジメント側で１２０°以下に維持され、重力の有害な作用を防止するためには、上記角度は、効果的には１２０°〜６０°の範囲内であり、重力の有害な作用が略低減される。
【００８５】
図７は、本発明の第４の効果的な実施例を示し、第１の実施例との本質的な相違は、略鉛直に配置された第１のインピンジメント面ＩＰ１、略鉛直に配置された第２のインピンジメント面ＩＰ２の形状が、これらに関連するインピンジメント乾燥ユニット１０の第１及び第２の走行部２１２，２２２の形状と同様、異なることである。第４の実施例では、第１及び第２のインピンジメント面ＩＰ１、ＩＰ２は、乾燥用シリンダの列ＤＳＲに向かってインピンジメント乾燥ユニット１０の中心線Ｋの両側で対称的に収束する。更に、インピンジメント面ＩＰ１、ＩＰ２の略直線状の形状に加えて、インピンジメント面ＩＰ１、ＩＰ２は、その全体長さにわたりその曲率の半径で可変に湾曲してよく、若しくは、相互にある角度をなす連続的な直線部により形成されてよい。かかる場合、対応する態様で、インピンジメント面ＩＰ１、ＩＰ２の長さの部分は、側方から見て、湾曲形状であるか、若しくは、折れ線形状となる。これに関して、直立位置は、エアインピンジメント側で、走行部の開始点と終了とを結ぶラインが、マシーンレベルに平行な水平面に対してある角度をなし、本発明による当該角度は、１２０°以下であり、効果的には、１２０°〜６０°の範囲内であり、特に効果的には、約９０度である。
【００８６】
図７の第４実施例では、インピンジメント乾燥ユニット１０は、乾燥用シリンダ３の列ＤＳＲの下方で、乾燥部においてシングルワイヤドローを適用する一の乾燥集合に関連して配置される。シングルワイヤドローでは、ワイヤ１及びそれに支持されたウェブ２は、乾燥用シリンダ３上でウェブ２が乾燥用シリンダ３にワイヤ１の下側で接するように、且つ、回転ロール４上でワイヤ１がウェブ２の下側で接するように、乾燥用シリンダ３及び回転ロール４まわりを蛇行する。
【００８７】
図７の第４実施例では、本発明によるインピンジメント乾燥ユニットは、マシーンレベルに平行な図６の左から右のマシーン方向（ＭＤ）に位置する水平の乾燥集合Ｒの第１の回転ロール４の下側に配置され、ワイヤループ１１は、乾燥集合Ｒのワイヤ１から形成される。図６に示すように、シングルワイヤドローを適用する上流側の乾燥集合Ｒのワイヤから至るウェブ２を支持搬送するワイヤ１は、回転ロール４からのウェブ２と共に、インピンジメント乾燥ユニット１０３の入口側に到達し、そこから、ウェブ２のために設けられ略直立に配置された第１のインピンジメント面ＩＰ１、及び、これに関連した第１の走行部２１２が開始する。第４実施例では、ウェブ２が乾燥用シリンダ３の列ＤＳＲから離れる方向に、即ち図の下方向に沿って走行する第１のインピンジメント面ＩＰ１は、マシーンレベルに平行な水平面に対してインピンジメント側である角度を形成し、当該角度は、インピンジメント側で約７５°である。第１の走行部２１２の後、ワイヤ１は、第１の補助回転ロール１４１まわりを走行し、その後、ウェブ２のために設けられ第２の補助回転ロール１４２で終了する略水平な走行部２３が設けられ、その後、ウェブ２のために設けられた第２のインピンジメント面ＩＰ２、及び、これに関連した第２の走行部２２２が開始する。この第２のインピンジメント面ＩＰ２上では、ウェブ２は、第２の走行部２２２に沿って、乾燥用シリンダ３の列ＤＳＲに向かう方向に、即ち図の上方向に走行し、第２のインピンジメント面は、インピンジメント側で、マシーンレベルに平行な水平面に対してある角度を形成し、当該角度は、インピンジメント側で約７５°である。第２の走行部２２２の後、ウェブ２及びワイヤ１は、インピンジメント乾燥ユニット１０の出口から回転シリンダ４の周上で乾燥用シリンダ３へと再び戻る。インピンジメント乾燥ユニット１０でウェブ２及び／又はワイヤ１の走行に悪影響無く、重力の悪影響を防止するため、最も好ましくは、上記角度は、１２０°〜６０°の範囲内から選択され、インピンジメント乾燥ユニット１０が、乾燥用シリンダの列ＤＳＲの下方に位置するユニットであるとき、上記角度は、１２０°〜６０°の範囲内から選択され、重力の有害な作用が略防止される。
【００８８】
図７の本発明の第４の実施例では、ウェブ２は、従って、インピンジメント乾燥ユニット１０内を、略三角形経路に沿って走行し、即ち、先ず、乾燥用シリンダ３の列ＤＳＲから離れる方向に、インピンジメント側で約７５°の角度をなす第１のインピンジメント面ＩＰ１の走行部２１２に沿って走行し、その後、略水平の走行部２３を略水平方向に走行し、最終的に、乾燥用シリンダ３の列ＤＳＲに向かう方向に、インピンジメント側で約７５°の角度をなす第２のインピンジメント面ＩＰ２の走行部２２２に沿って走行する。従って、第１及び第２のインピンジメント面ＩＰ１，ＩＰ２は、乾燥用シリンダ３の列ＤＳＲに向かって対称的に収束する。乾燥用シリンダ３の列ＤＳＲから離反する９０°以外の方向から、乾燥用シリンダ３の列ＤＳＲに近接する方向の９０°以外の他の角度へと、ウェブ２の走行の向きを変えるため、本発明の第４の実施例によるインピンジメント乾燥ユニット１０は、互いに離間した補助回転ロール１４１，１４２からなる回転装置、若しくは、互いに離間した方向を変えるためのその他の補助手段を含む。補助回転ロール１４１，１４２若しくは他の補助手段が相互に離間しているとき、略水平、即ち水平若しくは斜めに立ち上がる若しくは斜めに下がる走行部２３が、当該間隔に形成される。略水平の走行部２３でウェブを支持するため、図７に示すように、支持ロール、若しくは、ワイヤ１の外面により画成される略直線の追加のインピンジメント面ＡＩＰに存在する略水平の走行部２３を走行するウェブ２の表面に直接的に作用する追加のインピンジメント装置１７、及び、ブロー／吸引ボックス組立体を使用することは有益である。
【００８９】
図７の本発明の第４の実施例では、斜め下方向、即ち、乾燥用シリンダ３の列ＤＳＲから離れる方向に向く第１のインピンジメント面ＩＰ１、及び、それに関連する走行部２１２と同様、斜め上方向、即ち、乾燥用シリンダ３の列ＤＳＲに向かう方向に向く第２のインピンジメント面ＩＰ２、及び、それに関連する走行部２２２は、インピンジメント面側でマシーンレベルに平行な水平面に約７５°をなす。かかる場合、インピンジメント面ＩＰ１，ＩＰ２は、インピンジメント乾燥ユニット１０の中心線Ｋの両側、即ち、インピンジメント面の対称線の両側で対称的に配置され、インピンジメント面の中心線Ｋは、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、重力の悪影響を最小化するために上記角度の変化を可能な限り小さく維持すること、即ち、インピンジメント面とマシーンレベルに平行な水平面との間の角度を１２０°〜６０°の範囲内に維持することが有効である。インピンジメント乾燥ユニット１０が、乾燥用シリンダの列ＤＳＲの下方に位置するユニットであるとき、上記角度は、効果的には９０°〜６０°の範囲内であり、重力の有害な作用が略防止される。
【００９０】
図７の実施例では、ワイヤループ１１の第１及び第２のインピンジメント面ＩＰ１、ＩＰ２上に２つのインピンジメント乾燥装置１０３があり、第１のインピンジメント装置１０３が、乾燥用シリンダ３の列ＤＳＲから離れる方向に約７５°で略直立位置に配設された第１のインピンジメント面ＩＰ１の走行部２１２で走行するウェブ２の表面にインピンジメントエアジェットを直接付与するようにすると共に、第２のインピンジメント装置１０３が、乾燥用シリンダ３の列ＤＳＲに向かう方向に約７５°で略直立位置に配設された第２のインピンジメント面ＩＰ２の走行部２２２で走行するウェブ２の表面にインピンジメントエアジェットを直接付与するようにする。更に、図７に示すように、インピンジメント乾燥ユニットは、効果的には、略水平、即ち、水平若しくは斜めに立ち上がる若しくは斜めに下がる追加のインピンジメント面ＡＩＰ上のウェブ２の表面に作用する追加のインピンジメント装置１７を含む。本発明の第４実施例によるこのインピンジメント乾燥ユニット１０では、第１のインピンジメントエアジェットは、第１の走行部２１２に沿って乾燥用シリンダ３の列ＤＳＲから離れる方向、即ち図７の下方向に走行するウェブ２の表面に直接的に付与され、第２のインピンジメントエアジェットは、第２の走行部２２２に沿って乾燥用シリンダ３の列ＤＳＲに向かう方向、即ち図７の上方向に走行するウェブ２の表面に直接的に付与される。尚、図示した実施例に加えて、本発明は、異なる数のインピンジメント面ＩＰ１、ＩＰ２及びそれらに作用するインピンジメント乾燥装置１０３を有するユニットを備えたインピンジメント乾燥ユニット１０及び乾燥部及び乾燥集合Ｒを内包する。従って、本発明によるインピンジメント乾燥ユニット１０は、少なくとも１つのインピンジメント面ＩＰ１、ＩＰ２を含み、それに作用する少なくとも１つのインピンジメント乾燥装置１０３を含む。
【００９１】
図８は、本発明の第５の効果的な実施例を示し、上述の第４の実施例との本質的な相違は、略鉛直に配置された第１のインピンジメント面ＩＰ１、略鉛直に配置された第２のインピンジメント面ＩＰ２の形状が、これらに関連するインピンジメント乾燥ユニット１０の第１及び第２の走行部２１１，２２２の形状と同様、異なることである。第５の実施例では、インピンジメント側で、第１のインピンジメント面ＩＰ１とマシーンレベルに平行な水平面との間の角度は、第２のインピンジメント面ＩＰ２とマシーンレベルに平行な水平面との間の角度とは異なり、更に、中心線Ｋは、インピンジメント面ＩＰ１、ＩＰ２の開始点と終了点を結ぶラインの中心ライン、即ち、インピンジメント乾燥ユニット１０の鉛直方向の中心ラインにより形成され、インピンジメント面ＩＰ１、ＩＰ２は、その全長に亘り中心線Ｋから等距離にあり、従って、乾燥用シリンダの列ＤＳＲに向かって対称的に収束し、中心線Ｋは、第１のインピンジメント面ＩＰ１とマシーンレベルに平行な水平面との間の角度及び第２のインピンジメント面ＩＰ２とマシーンレベルに平行な水平面との間の角度とは、異なる角度をなす。乾燥用シリンダ３の列ＤＳＲに向かってインピンジメント乾燥ユニット１０の中心線Ｋの両側で非対称に収束する。
【００９２】
図８に示すインピンジメント面ＩＰ１，ＩＰ２の略直線的な形状に加えて、インピンジメント面ＩＰ１，ＩＰ２は、その全長の一部で可変に湾曲してもよく、その全体若しくは部分が、互いにある角度をなす連続的な直線部から形成されてもよい。かかる場合、インピンジメント面ＩＰ１，ＩＰ２の側断面の部分は、それに対応した態様で、湾曲若しくは略折れ線の形状若しくはそれらの組み合わせとなってよい。また、インピンジメント面は、乾燥用シリンダの列ＤＳＲに向かって位置若しくは形状で非対称に収束しても良い。これに関して、直立位置とは、インピンジメント側で、走行部の開始点と終了とを結ぶラインが、マシーンレベルに平行な水平面に対してある角度をなすことを意味し、本発明による当該角度は、１２０°以下であり、効果的には、１２０°〜６０°の範囲内であり、特に効果的には、約９０度である。
【００９３】
図８の第５実施例では、インピンジメント乾燥ユニット１０は、乾燥用シリンダ３の列ＤＳＲの下方で、乾燥部においてシングルワイヤドローを適用する一の乾燥集合に関連して配置される。シングルワイヤドローでは、ワイヤ１及びそれに支持されたウェブ２は、乾燥用シリンダ３上でウェブ２が乾燥用シリンダ３にワイヤ１の下側で接するように、且つ、回転ロール４上でワイヤ１がウェブ２の下側で接するように、乾燥用シリンダ３及び回転ロール４まわりを蛇行する。
【００９４】
図８の第５実施例では、本発明によるインピンジメント乾燥ユニットは、マシーンレベルに平行な図６の左から右のマシーン方向（ＭＤ）に位置する水平の乾燥集合Ｒの第１の回転ロール４の下側に配置され、ワイヤループ１１は、乾燥集合Ｒのワイヤ１から形成される。図８に示すように、シングルワイヤドローを適用する上流側の乾燥集合Ｒのワイヤから至るウェブ２を支持搬送するワイヤ１は、回転ロール４からのウェブ２と共に、インピンジメント乾燥ユニット１０３の入口側に到達し、そこから、ウェブ２のために設けられ略直立に配置された第１のインピンジメント面ＩＰ１、及び、これに関連した第１の走行部２１２が開始する。第４実施例では、ウェブ２が乾燥用シリンダ３の列ＤＳＲから離れる方向に、即ち図の下方向に沿って走行する第１のインピンジメント面ＩＰ１は、マシーンレベルに平行な水平面に対してインピンジメント側である角度を形成し、当該角度は、インピンジメント側で約１００°である。第１の走行部２１２の後、ワイヤ１は、第１の補助回転ロール１４１まわりを走行し、その後、ウェブ２のために設けられ第２の補助回転ロール１４２で終了する略水平な走行部２３が設けられ、その後、ウェブ２のために設けられた第２のインピンジメント面ＩＰ２、及び、これに関連した第２の走行部２２２が開始する。この第２のインピンジメント面ＩＰ２上では、ウェブ２は、第２の走行部２２２に沿って、乾燥用シリンダ３の列ＤＳＲに向かう方向に、即ち図の上方向に走行し、第２のインピンジメント面は、インピンジメント側で、マシーンレベルに平行な水平面に対してある角度を形成し、当該角度は、インピンジメント側で約７０°である。第２の走行部２２２の後、ウェブ２及びワイヤ１は、インピンジメント乾燥ユニット１０の出口から回転シリンダ４の周上で乾燥用シリンダ３へと再び戻る。インピンジメント乾燥ユニット１０でウェブ２及び／又はワイヤ１の走行に悪影響無く、重力の悪影響を防止するため、最も好ましくは、上記角度は、１２０°〜６０°の範囲内から選択される。
【００９５】
図８の本発明の第５の実施例では、ウェブ２は、従って、インピンジメント乾燥ユニット１０内を、略三角形経路に沿って走行し、即ち、先ず、乾燥用シリンダ３の列ＤＳＲから離れる方向に、インピンジメント側で約１００°の角度をなす第１のインピンジメント面ＩＰ１の走行部２１２に沿って走行し、その後、略水平の走行部２３を略水平方向に走行し、最終的に、乾燥用シリンダ３の列ＤＳＲに向かう方向に、インピンジメント側で約７０°の角度をなす第２のインピンジメント面ＩＰ２の走行部２２２に沿って走行する。従って、第１及び第２のインピンジメント面ＩＰ１，ＩＰ２は、乾燥用シリンダ３の列ＤＳＲに向かって異なる角度で収束する。乾燥用シリンダ３の列ＤＳＲから離反する一の角度から、乾燥用シリンダ３の列ＤＳＲに近接する方向の他の角度へと、ウェブ２の走行の向きを変えるため、本発明の第５の実施例によるインピンジメント乾燥ユニット１０は、互いに離間した補助回転ロール１４１，１４２からなる回転装置、若しくは、互いに離間した方向を変えるためのその他の補助手段を含み、略水平、即ち水平若しくは斜めに立ち上がる若しくは斜めに下がる走行部２３が、補助回転ロール１４１，１４２若しくは他の補助手段の間に形成されるようにする。略水平の走行部２３でウェブを支持するため、図８に示すように、支持ロール、若しくは、ワイヤ１の外面により画成される略直線の追加のインピンジメント面ＡＩＰに存在する略水平の走行部２３を走行するウェブ２の表面に直接的に作用するブロー／吸引ボックス組立体及び追加のインピンジメント装置１７を使用することは有益である。
【００９６】
図８の本発明の第５の実施例では、乾燥用シリンダ３の列ＤＳＲから離れる方向に、例えば約１００°をなす第１のインピンジメント面ＩＰ１、及び、それに関連する走行部２１２と同様、乾燥用シリンダ３の列ＤＳＲに向かう方向に、例えば約７０°をなす第２のインピンジメント面ＩＰ２、及び、それに関連する走行部２２２は、双方とも、インピンジメント乾燥ユニット１０の鉛直方向で、インピンジメント乾燥ユニットの中心線Ｋから等距離であり、中心線Ｋは、マシーンレベルに平行な水平面に対して第１のインピンジメント面ＩＰ１のインピンジメント側で、マシーンレベルに平行な水平面に対して第１のインピンジメント面ＩＰ１により形成される角度よりも大きな角度を形成する。図７の実施例では、マシーンレベルに平行な水平面に対して形成される当該角度は、第１のインピンジメント面ＩＰ１のインピンジメント側で約１０５°である。インピンジメント面ＩＰ１，ＩＰ２は、インピンジメント乾燥ユニットの中心線Ｋから同一距離であるので、従って、インピンジメント乾燥ユニット１０の中心線Ｋ、即ちインピンジメント面の対称線の両側に対称的に位置する。インピンジメント乾燥ユニット１０を傾斜させることにより、マシーンレベルに平行な水平面に対して形成される上記角度は、約９０°と異なるように変更可能であるが、重力の悪影響をある制限内に維持すること、即ち、１２０°〜６０°の範囲内に維持することが有効である。インピンジメント乾燥ユニット１０が、乾燥用シリンダの列ＤＳＲの下方に位置するユニットであるとき、傾斜方向に依存して、重力の悪影響を実質的に防止するため、第１のインピンジメント面ＩＰ１若しくはインピンジメント面の接線若しくはインピンジメント乾燥ユニットの中心線Ｋとマシーンレベルに平行な水平面との間の角度は、インピンジメント側で効果的には１２０°〜９０°の範囲内である。
【００９７】
図８の実施例では、ワイヤループ１１の第１及び第２のインピンジメント面ＩＰ１、ＩＰ２上に２つのインピンジメント乾燥装置１０３があり、第１のインピンジメント装置１０３が、乾燥用シリンダ３の列ＤＳＲから離れる方向に約１００°で略直立位置に配設された第１のインピンジメント面ＩＰ１の走行部２１２で略直線的に走行するウェブ２の表面にインピンジメントエアジェットを直接付与するようにすると共に、第２のインピンジメント装置１０３が、乾燥用シリンダ３の列ＤＳＲに向かう方向に、マシーンレベルに平行な水平面と第２のインピンジメント面ＩＰ２との間にインピンジメント側で形成される約７５°の角度で、略直立位置に配設された第２のインピンジメント面ＩＰ２の走行部２２２で略直線的に走行するウェブ２の表面にインピンジメントエアジェットを直接付与するようにする。更に、図８に示すように、インピンジメント乾燥ユニットは、効果的には、略水平、即ち、水平若しくは斜めに立ち上がる若しくは斜めに下がる追加のインピンジメント面ＡＩＰ上のウェブ２の表面に作用する追加のインピンジメント装置１７を含む。本発明の第４実施例によるこのインピンジメント乾燥ユニット１０では、第１のインピンジメントエアジェットは、第１の走行部２１２に沿って乾燥用シリンダ３の列ＤＳＲから離れる方向に走行し第１のインピンジメント面ＩＰ１に対向するウェブ２の表面に直接的に付与され、第２のインピンジメントエアジェットは、第２の走行部２２２に沿って乾燥用シリンダ３の列ＤＳＲに向かう方向に走行し第２のインピンジメント面ＩＰ２に対向するウェブ２の表面に直接的に付与される。
【００９８】
図９の第２の実施例では、インピンジメント乾燥ユニット１０は、乾燥部においてシングルワイヤドローを適用する一の乾燥集合Ｒと関連して配置されており、乾燥集合Ｒでは、ワイヤ１及びそれに支持されたウェブ２は、乾燥用シリンダ３上でウェブ２が乾燥用シリンダ３にワイヤ１の下側で接するように、且つ、回転ロール４上でワイヤ１がウェブ２の下側で接するように、マシーンレベルに対して鉛直位置に配設された乾燥用シリンダ３及び回転ロール４まわりを蛇行する。強調すべきことは、乾燥用シリンダ３及び回転ロール４の数は、選択可能であり、図９に示す２つの乾燥用シリンダ及び２つの回転ロール４と大きく異なってもよい。
【００９９】
図９の実施例では、本発明によるインピンジメント乾燥ユニット１０は、乾燥集合Ｒの上側に配設され、乾燥用シリンダ３及び回転ロール３と共有するワイヤループ１１が設けられる。インピンジメント乾燥ユニット１０のワイヤループ１１は、乾燥集合Ｒの回転ロール４と左側でマシーンレベル方向及びマシーン方向（ＭＤ）の双方で回転接触し、ウェブ２は、インピンジメント乾燥ユニットのワイヤ上へと、左側の乾燥集合Ｒのワイヤからインピンジメント乾燥ユニット１０の入口側で取り出すことができる。インピンジメント乾燥ユニット１０を含む乾燥集合の出口側では、ウェブ２は、右側の乾燥集合Ｒ（図９では図示せず）のワイヤ上へと若しくはウェブ２の処理の方向で次の段階へとワイヤ１から搬送できる。ウェブ２のために設けられ直立位置に配置された第１の略直線のインピンジメント面ＩＰ１、及び、それに関連し前の乾燥集合Ｒの回転ロール４から離れる方向、即ち図の垂直上向きの走行部２１が、インピンジメント乾燥ユニット１０の入口側で開始する。第１の走行部２１の後、インピンジメント乾燥ユニットのワイヤ１は、先ず、第１の補助回転ロール１４１のまわりを走行し、次いで、第２の補助回転ロール１４２のまわりを走行し、その後、ウェブ２のために設けられた第２の直立で直線状のインピンジメント面ＩＰ２、及び、それに関連し、直立位置に配置された回転ロール４及び乾燥用シリンダ３により形成された集合に向かう方向、即ち図の垂直下向きの走行部２１が、開始する。インピンジメント乾燥ユニット１０を含む乾燥集合の後、ワイヤ１及びウェブ２は、再び、マシーンレベルに対して直立若しくは水平に配置され乾燥集合Ｒの乾燥用シリンダ３及び回転ロール４によって形成される他の考えられる集合まわりを共に蛇行する。
【０１００】
図９の実施例では、ウェブ２は、従って、先ず、略直立位置に配設された第１のインピンジメント面ＩＰ１に存在するインピンジメント乾燥ユニット１０の第１の走行部２１において、乾燥用シリンダ３の列ＤＳＲから離れる方向に略直線の経路に沿って走行し、その後、略直立位置に配設された第２のインピンジメント面ＩＰ２に存在する第２の走行部２２において、乾燥用シリンダ３の列ＤＳＲに向かう方向に略直線の経路に沿って走行する。乾燥用シリンダ３の列ＤＳＲから離反する方向から近接する方向へとウェブ２の走行方向を変えるため、インピンジメント乾燥ユニット１０は、補助回転ロール１４からなる回転装置、若しくは、方向を変化させるための他の補助手段を含む。第１及び第２の走行部２１，２２間のマシーンレベルに平行な水平面内での距離に依存して、補助回転ロールや方向変更のための他の補助手段のような２つの回転装置が、使用されてもよい。これに関して、補助回転ロールの間には、マシーンレベルに対して平行なブロー／吸引装置（図７の符合１８参照）が存在してよく、また、追加のインピンジメント装置（図２及び図７の符合１７参照）が、追加的に、補助回転ロールや他の補助手段の間に配設されてよい。
【０１０１】
図９の実施例では、略直立位置に配置され乾燥用シリンダ３の列ＤＳＲから離れる向きの第１のインピンジメント面ＩＰ１、及び、それに関連する第１の走行部２１、略直立位置に配置され乾燥用シリンダ３の列ＤＳＲに向かう向きの第２のインピンジメント面ＩＰ２、及び、それに関連する第２の走行部２２は、インピンジメント側で、マシーンレベルに平行な水平面に対して約９０°を形成する。最も効果的には、インピンジメント面ＩＰ１、ＩＰ２は、インピンジメント乾燥ユニット１０の中心線Ｋ、即ち、インピンジメント面の対称線、の両側で対称的に位置し、中心線Ｋ若しくはインピンジメント面の対称線は、マシーンレベルに平行な水平面に対して約９０°をなす。インピンジメント乾燥ユニット１０を傾斜させることにより、マシーンレベルに平行な水平面に対して形成される上記角度は、約９０°と異なるように変更可能であるが、重力の有害な作用を最小化する観点から、インピンジメント乾燥ユニット１０をあまりに傾斜させすぎないこと、即ち、上記各度をインピンジメント側で１２０°〜６０°の範囲内に維持することが有益となる。
【０１０２】
図９の実施例では、インピンジメント乾燥ユニット１０において、ワイヤループ１１の第１及び第２の鉛直の走行部２１，２２上に２つのインピンジメント乾燥装置１０１があり、第１のインピンジメント装置１０１が、乾燥用シリンダ３の列ＤＳＲから離れる方向に略直立位置に配設された第１のインピンジメント面ＩＰ１で略直線的に走行するウェブ２の表面にインピンジメントエアジェットを直接付与するようにすると共に、第２のインピンジメント装置１０１が、乾燥用シリンダ３の列ＤＳＲに向かう方向に略直立位置に配設された第２のインピンジメント面ＩＰ２で略直線的に走行するウェブ２の表面にインピンジメントエアジェットを直接付与するようにする。
【０１０３】
尚、図示した実施例に加えて、本発明は、異なる数のインピンジメント乾燥ユニット１０若しくはインピンジメント装置１０１若しくはインピンジメント面ＩＰ１、ＩＰ２を有するユニットを備えた乾燥ユニット１０及び乾燥部及び乾燥集合Ｒを内包する。従って、本発明によるインピンジメント乾燥ユニット１０は、少なくとも１つのインピンジメント面ＩＰ１、ＩＰ２を含み、それに作用する少なくとも１つのインピンジメント乾燥装置１０１を含む。
【０１０４】
図示した実施例に加えて、本発明は、以下の乾燥ユニット１０及び乾燥部及び乾燥集合Ｒを内包する。即ち、
−そのインピンジメント面若しくは複数のインピンジメント面ＩＰ１，ＩＰ２が、乾燥用シリンダ３の列ＤＳＲの上若しくは下側に略全体として配設され、
−インピンジメント乾燥ユニット１０は、乾燥用シリンダ３の列ＤＳＲの上若しくは下側に少なくとも部分的に延在し、
−インピンジメント乾燥ユニット１０は、乾燥部若しくは乾燥集合Ｒの最も上側の乾燥用シリンダ（複数でもよい）を通る線の上側に延在し、当該線は、効果的にはマシーンレベルに平行な水平面に平行であり、若しくは、対応する態様で、
−効果的にはマシーンレベルに平行な水平面に平行である乾燥部若しくは乾燥集合Ｒの最も下側の乾燥用シリンダ（複数でもよい）を通る線の下方に延在し、
−乾燥集合内の乾燥用シリンダの幾つかを通過する乾燥用シリンダの列ＤＳＲの少なくとも部分的に下側及び／又は上側にあり、
−異なる数のインピンジメント面ＩＰ１，ＩＰ２及びそれらに作用するインピンジメント乾燥ユニット１０３を有する。
【０１０５】
従って、本発明によるインピンジメント乾燥ユニット１０若しくは乾燥部若しくは乾燥集合Ｒは、少なくとも１つのインピンジメント面ＩＰ１、ＩＰ２を含み、インピンジメント面に作用する少なくとも１つのインピンジメント乾燥装置１０１を含む。本発明の上述の実施例から明らかなように、本発明によるインピンジメント乾燥ユニット１０が如何なる種の乾燥集合Ｒと関連付けられているかは重要でない。他言すると、乾燥集合Ｒは、シングルワイヤドロー若しくはツインワイヤドローを適用する集合であってよい。本発明によるインピンジメント乾燥ユニット１０は、乾燥部の乾燥集合Ｒの一部を構成してよく、共通のワイヤ１を効果的には有する。かかる場合、本発明によるインピンジメント乾燥ユニット１０は、マシーンレベルに平行な乾燥用シリンダ３の列ＤＳＲの下方及び／又は上方に位置してよい。
【０１０６】
本発明のインピンジメント乾燥ユニット１０は、連続的な乾燥集合Ｒに関連して、乾燥用シリンダ３の列ＤＳＲの下方の一の乾燥集合内にマシーン方向に延在若しくは位置してよく、次の乾燥集合において、乾燥用シリンダ３の列ＤＳＲの上方に位置若しくは延在してよく、その後段に位置する乾燥集合Ｒにおいて、再び乾燥用シリンダ３の列ＤＳＲの下方に位置若しくは延在してよい。これに関して、乾燥能力の点から、効果的には、乾燥集合Ｒは、相互に上下逆の乾燥集合であり、ウェブ２が、本発明による連続的なインピンジメント乾燥ユニット１０により片側からエアインピンジメントにより乾燥させられるようにし、当該ユニット１０は、乾燥用シリンダ３の列ＤＳＲの上方及び下方にそれぞれ位置する。当然に、本発明による幾つかのインピンジメント乾燥ユニットが、単一の乾燥集合Ｒの一部を形成するように配置されてよく、当該インピンジメント乾燥ユニットは、乾燥用シリンダ３の列ＤＳＲの上方若しくは下方の何れかに位置若しくは延在し、若しくは、乾燥用シリンダ３の列ＤＳＲの上方及び下方に交互的に位置若しくは延在するように配列される。幾つかのインピンジメント乾燥ユニット１０が一の乾燥集合Ｒの一部を形成するように配設された時、連続的なインピンジメント乾燥ユニット１０が乾燥用シリンダ３の列ＤＳＲの上方及び下方に交互的に位置若しくは延在するように配置若しくは配列された場合、若しくは、インピンジメント乾燥ユニット１０の幾つかが乾燥用シリンダ３の列ＤＳＲの下方に延在するように配置され他のインピンジメント乾燥ユニットが乾燥用シリンダ３の列ＤＳＲの上方に延在するように配置された場合、ウェブ２は、その両側から乾燥させられ、これにより、マシーンレベルに平行なマシーン方向に横断する横断方向でのウェブのカールが低減される。
【０１０７】
本発明によるインピンジメント乾燥ユニット１０は、自身にワイヤ１を備えた全体として独立したユニットであってよく、これに関して、インピンジメント乾燥ユニット１０は、乾燥集合Ｒの前側若しくは後側に配置されてよく、若しくは２つの乾燥集合Ｒの間に配置されてよく、それを乾燥集合Ｒの下方若しくは上方に延在するように位置付け若しくは配列させる。
【０１０８】
本説明において、インピンジメント乾燥ユニットの中心線Ｋによって、本発明によるインピンジメント乾燥ユニット１０まわりに引かれた仮想の正方形の外周の中心線が意味され、当該中心線Ｋは、マシーンレベルに平行な水平面に対して１２０°以下を角度をなし、当該水平面の方向において、紙若しくは板紙のシリンダ乾燥処理は、典型的には、マシーン方向に進む。本発明の効果的な出願において、中心線Ｋは、インピンジメント面ＩＰ１，ＩＰ２の間、若しくはそれらの走行部２１，２１１，２１２；２２，２２１，２２２の間の対称線と一致する。本発明によるインピンジメント乾燥ユニット１０において、インピンジメント面ＩＰ１，ＩＰ２、若しくは、インピンジメント面に属する走行部２１，２１１，２１２；２２，２２１，２２２、インピンジメント乾燥ユニットの中心若しくは対称線Ｋは、マシーンレベルに平行な水平面に対して直角若しくは傾斜している。本発明によるインピンジメント乾燥ユニット１０は、乾燥用シリンダの列ＤＳＲの下方若しくは上方に少なくとも部分的に延在するか若しくは全体的に位置し、マシーンレベルに平行な水平面に対してある角度をなして配設され、当該角度は、１２０°以下である。効果的には、当該角度は、重力による悪影響を最小化するため、１２０°−６０°の範囲とされる。インピンジメント乾燥ユニット１０は、乾燥用シリンダの列ＤＳＲの上方に少なくとも部分的に延在するとき、上述の角度は、典型的には９０°であり、重力による悪影響が略無くなる。しかしながら、最も効果的には、当該角度は、約９０°、即ち直角であり、インピンジメント乾燥のマシーン方向の寸法を最小化し、これに関して、更に効果的には、インピンジメント乾燥ユニットの第１のインピンジメント面ＩＰ１の走行部２１，２１１，２１２及び第２のインピンジメント面ＩＰ２の走行部２２，２２１，２２２は、インピンジメント面の中心線Ｋ若しくは対称線の両側で対称的に同一方向に走る。
【０１０９】
上述では、本発明は、本発明の多様な修正や適用可能性を強調するため効果的な実施例の幾つかのみを参照して説明されており、また、本発明は、上述の実施例に限定されることを意味しない。例えば、本発明によるインピンジメント乾燥ユニット及び／又は乾燥集合は、インピンジメント乾燥ユニット内の第１の走行部及び第２の走行部が互いに異なるように及び／又は異なる向きとなるように、構成されてよく、
これに関して、第１のインピンジメント面の側面形状は、直線形状、曲率可変の曲線形状、折れ線形状、若しくはこれらの選択可能な組み合わせであってよく、第２のインピンジメント面の側面形状は、直線形状、曲率可変の曲線形状、折れ線形状、若しくはこれらの選択可能な組み合わせであってよく、
第１のインピンジメント面若しくはその開始点から終了点間の線は、直角であり、第２のインピンジメント面若しくはその開始点から終了点間の線は、マシーンレベルに平行な水平面に対して直角以外の角度をなし、逆も同様であり、
第１のインピンジメント面若しくはその開始点から終了点間の線は、マシーンレベルに平行な水平面に対して、第２のインピンジメント面若しくはその開始点から終了点間の線とは異なる角度をなし、
インピンジメント面若しくはその開始点から終了点間の線は、乾燥用シリンダの列に向かって形状及び／又は位置において対称的に収束し、
第１のインピンジメント面若しくは第２のインピンジメント面は、直線、曲率可変の曲線、折れ線、若しくはこれらの選択可能な組み合わせ、若しくは、２若しくはそれ以上の部分を含む組み合わせであり、第２のインピンジメント面は、直線、曲率可変の曲線、折れ線、若しくはこれらの選択可能な組み合わせ、若しくは、第１のインピンジメント面とは異なる態様で２若しくはそれ以上の部分を含む組み合わせであり、逆も同様である。
【０１１０】
尚、本発明は、インピンジメント乾燥ユニットが、乾燥用シリンダの列から離反する唯一の第１のインピンジメント面と同様それに関連する第１の走行部、及び、乾燥用シリンダの列に向かう唯一の第２のインピンジメント面と同様それに関連する第２の走行部を含むこととして説明されている。当然に、走行部は、複数とされてよく、これは、例えば幾つかの本発明によるインピンジメント乾燥ユニットをマシーン方向に連続的に配置することによって、交互に配置された２つのインピンジメント乾燥ユニットの入口と出口の間に、例えば追加の回転ロールやそれらの対のような回転装置を配設することによって実現され、また、必要に応じて、インピンジメント領域は、追加のインピンジメントエアジェットを、追加の回転ロールの対の間で、略水平な走行部、即ち水平若しくは斜めに立ち上がる若しくは斜めに下がる走行部内に配設することによって、更に増大されてよい。
【０１１１】
更に、鉛直方向のスペースが制限されるか、若しくは、何らかの理由で、乾燥領域を実質的に確保しつつ全体の高さを低くするためインピンジメント乾燥ユニットを他の乾燥ユニットと共に配置することが望ましい時、本発明によるインピンジメント乾燥ユニットの全体は、少なくとも１つのインピンジメント面若しくはその開始点及び終了点を結ぶ線が、マシーンレベルに平行な水平面に約９０°の角度をなす完全な直立位置から、当該少なくとも１つのインピンジメント面若しくはその開始点及び終了点を結ぶ線が、マシーンレベルに平行な水平面に１２０°〜６０°の範囲内の角度をなす、マシーンレベルに平行な水平面に向かって傾斜された位置まで、傾斜されてよく、重力は、ワイヤ及びウェブの走行、それらのインピンジメント面への付着若しくはそれに関連する走行部への付着を妨害することができない。或いは、本発明によるインピンジメント乾燥ユニットは、乾燥集合内部から開始するように配置されてよく、その一部のみが、乾燥集合若しくは乾燥部の上方若しくは下方に延在する。
【図面の簡単な説明】
【図１】
ペーパーマシーンの乾燥部内に乾燥を配設するための先行技術による構成を示す図である。
【図２】
乾燥集合の下方の乾燥集合の一部を形成するように配置された、シングルワイヤドローを適用する乾燥部における本発明の第１の効果的な実施例の概略図である。
【図３】
乾燥集合の下方の乾燥集合の一部を形成するように配置された、ツインワイヤドローを適用する乾燥部における本発明の第１の効果的な実施例の概略図である。
【図４】
乾燥集合の上方の２つの乾燥集合間に配置された、シングルワイヤドローを適用する乾燥部における本発明の第１の効果的な実施例の概略図である。
【図５】
インピンジメント乾燥ユニットが乾燥集合の下方の乾燥集合内部から延在し、乾燥集合の幾つかの乾燥用シリンダ、即ち乾燥部の開始位置の乾燥用シリンダが乾燥集合の他の乾燥用シリンダに対して高い位置にある乾燥集合の一部を形成するように配置された、シングルワイヤドローを適用する乾燥部における本発明の第２の効果的な実施例の概略図である。
【図６】
乾燥集合の下方の乾燥集合の一部を形成するように配置された、シングルワイヤドローを適用する乾燥部における本発明の第３の効果的な実施例の概略図である。
【図７】
乾燥集合の下方の乾燥集合の一部を形成するように配置された、シングルワイヤドローを適用する乾燥部における本発明の第４の効果的な実施例の概略図である。
【図８】
乾燥集合の下方の乾燥集合の一部を形成するように配置された、シングルワイヤドローを適用する乾燥部における本発明の第５の効果的な実施例の概略図である。
【図９】
乾燥部の最も上の乾燥用シリンダを通りマシーンレベルに平行な水平面の上方に延在し、乾燥集合のマシーンレベルに対して鉛直に配置された回転ロール及び乾燥用シリンダと関連付けられ、乾燥集合の一部を形成するように配置された、シングルワイヤドローを適用する乾燥部における本発明の第６の効果的な実施例の概略図である。
【国際公開パンフレット】
2004513254.tif 000005
2004513254.tif 000006
2004513254.tif 000007
2004513254.tif 000008
2004513254.tif 000009
2004513254.tif 000010
2004513254.tif 000011
2004513254.tif 000012
2004513254.tif 000013
2004513254.tif 000014
2004513254.tif 000015
2004513254.tif 000016
2004513254.tif 000017
2004513254.tif 000018
2004513254.tif 000019
2004513254.tif 000020
2004513254.tif 000021
2004513254.tif 000022
2004513254.tif 000023
2004513254.tif 000024
2004513254.tif 000025
2004513254.tif 000026
2004513254.tif 000027
2004513254.tif 000028
2004513254.tif 000029
2004513254.tif 000030
2004513254.tif 000031
2004513254.tif 000032
2004513254.tif 000033
2004513254.tif 000034
2004513254.tif 000035
2004513254.tif 000036
2004513254.tif 000037
2004513254.tif 000038
2004513254.tif 000039
2004513254.tif 000040
2004513254.tif 000041
2004513254.tif 000042
2004513254.tif 000043
2004513254.tif 000044
2004513254.tif 000045
2004513254.tif 000046
2004513254.tif 000047
2004513254.tif 000048
2004513254.tif 000049
2004513254.tif 000050
2004513254.tif 000051
2004513254.tif 000052
2004513254.tif 000053
2004513254.tif 000054
2004513254.tif 000055
2004513254.tif 000056
2004513254.tif 000057
2004513254.tif 000058
2004513254.tif 000059
2004513254.tif 000060
2004513254.tif 000061
2004513254.tif 000062
2004513254.tif 000063
2004513254.tif 000064
2004513254.tif 000065
2004513254.tif 000066
2004513254.tif 000067
2004513254.tif 000068
2004513254.tif 000069
2004513254.tif 000070
2004513254.tif 000071
2004513254.tif 000072
2004513254.tif 000073
2004513254.tif 000074
2004513254.tif 000075
【国際調査報告】
2004513254.tif 000076
2004513254.tif 000077
2004513254.tif 000078